(57)【特許請求の範囲】
【請求項１】
１つまたは複数の近隣基地局（ＢＳ）から半静的システム情報を受信することと、
前記受信した情報に基づいて、ＵＥが物理アップリンク制御チャネル（ＰＵＣＣＨ）中で干渉を引き起こす近隣ＢＳを識別することと、前記干渉近隣基地局によって干渉ユーザ機器（ＵＥ）に割り当てられた対応するリソースを識別することと、
前記干渉ＵＥによって引き起こされる干渉を管理することと
を備え、干渉を管理することは、
物理アップリンク共有チャネル（ＰＵＳＣＨ）が時分割多重化（ＴＤＭ）区分によりクリーンである場合、１つまたは複数のＰＵＣＣＨが前記ＰＵＳＣＨ上で送信されるように半永続的スケジューリング（ＳＰＳ）を割り当てることを備える、
ワイヤレス通信のための方法。
【請求項２】
１つまたは複数の近隣基地局（ＢＳ）から半静的システム情報を受信することと、
前記受信した情報に基づいて、ＵＥが物理アップリンク制御チャネル（ＰＵＣＣＨ）中で干渉を引き起こす近隣ＢＳを識別することと、前記干渉近隣基地局によって干渉ユーザ機器（ＵＥ）に割り当てられた対応するリソースを識別することと、
前記干渉ＵＥによって引き起こされる干渉を管理することと
を備え、干渉を管理することは、
前記ＵＥが前記近隣基地局によって異なる周波数にハンドオーバされるように、前記干渉ＵＥからの干渉測定をトリガするために１つまたは複数のビーコン信号を送ることを備える、
ワイヤレス通信のための方法。
【請求項３】
前記半静的システム情報は、ネットワーク中で受信した信号をリッスンすることによって受信されるシステム情報ブロック（ＳＩＢ２）情報を備える、
請求項１または２に記載の方法。
【請求項４】
前記半静的システム情報は、ＰＵＣＣＨ  ＡＣＫに関連するシステム情報を備える、
請求項１または２に記載の方法。
【請求項５】
前記半静的システム情報は、ＰＵＣＣＨ  ＣＱＩチャネルに関連するシステム情報を備える、
請求項１または２に記載の方法。
【請求項６】
前記半静的システム情報は、コンピュータ生成シーケンス（ＣＧＳ）ホッピング構成、ＰＵＣＣＨチャネル品質インジケータ（ＣＱＩ）リソースブロック（ＲＢ）領域、ＰＵＣＣＨ混合肯定応答（ＡＣＫ）／ＣＱＩ  ＲＢ領域、ＰＵＣＣＨ  ＡＣＫ  ＲＢにおけるユーザの最大数、またはセルサウンディング基準信号（ＳＲＳ）構成のうちの少なくとも１つを備える、
請求項３に記載の方法。
【請求項７】
前記半静的システム情報は、前記近隣基地局からＸ２インターフェースまたはファイバー接続のうちの少なくとも１つを介して受信される、
請求項１または２に記載の方法。
【請求項８】
前記干渉ＵＥに割り当てられた前記リソースに関する情報を前記識別された近隣ＢＳに送信することをさらに備え、前記送信された情報は、干渉管理のために前記近隣基地局によって使用される、
請求項１または２に記載の方法。
【請求項９】
前記干渉ＵＥによって引き起こされる干渉を管理することは、前記近隣ＢＳにオーバーロード指示メッセージを送ることを含む、
請求項１または２に記載の方法。
【請求項１０】
前記干渉ＵＥによって引き起こされる干渉を管理することは、別のＢＳに転送すること、電力を低減すること、または別様にスケジュールされることのうちの少なくとも１つを前記干渉ＵＥに行わせることを前記近隣ＢＳに行わせるメッセージを前記近隣ＢＳに送ることを含む、
請求項１または２に記載の方法。
【請求項１１】
干渉を管理することは、
干渉を回避するために、周波数分割多重化（ＦＤＭ）または時分割多重化（ＴＤＭ）においてサービスを受けるＵＥをスケジュールすることを備える、
請求項１または２に記載の方法。
【請求項１２】
干渉を管理することは、
アップリンク送信を干渉から保護するために適応雑音パディングを実行することを備える、
請求項１または２に記載の方法。
【請求項１３】
干渉を引き起こす前記近隣ＢＳを識別することは、
近隣ＢＳの肯定応答チャネルのエネルギーをしきい値と比較することと、
前記肯定応答チャネルのエネルギーが前記しきい値に等しいかまたはそれよりも大きい場合、前記近隣ＢＳによってサービスされる前記干渉ＵＥの接近を宣言することと
を備える、請求項１または２に記載の方法。
【請求項１４】
干渉を引き起こす前記近隣ＢＳを識別することは、
近隣ＢＳのチャネル品質インジケータ（ＣＱＩ）の信号対雑音比（ＳＮＲ）をしきい値と比較することと、
前記ＣＱＩのＳＮＲが前記しきい値に等しいかまたはそれよりも大きい場合、前記近隣ＢＳによってサービスされる前記干渉ＵＥの接近を宣言することと
を備える、請求項１または２に記載の方法。
【請求項１５】
近隣基地局から、干渉ユーザ機器（ＵＥ）に割り当てられたリソースに関する情報を受信することと、
前記受信した情報に基づいて前記干渉ＵＥを識別することと、
前記干渉ＵＥによって引き起こされる干渉を管理することと
を備え、干渉を管理することは、
物理アップリンク共有チャネル（ＰＵＳＣＨ）が時分割多重化（ＴＤＭ）区分によりクリーンである場合、１つまたは複数のＰＵＣＣＨが前記ＰＵＳＣＨ上で送信されるように半永続的スケジューリング（ＳＰＳ）を割り当てることを備える、ワイヤレス通信のための方法。
【請求項１６】
前記干渉ＵＥによって引き起こされる干渉を管理することは、
前記干渉ＵＥに異なる周波数を割り当てることを備える、
請求項１５に記載の方法。
【請求項１７】
近隣基地局から干渉ＵＥに割り当てられたリソースに関する情報を受信することは、前記近隣基地局からオーバーロード指示メッセージを受信することを含む、
請求項１５に記載の方法。
【請求項１８】
前記干渉ＵＥによって引き起こされる干渉を管理することは、別のＢＳに転送すること、電力を低減すること、または別様にスケジュールされることのうちの少なくとも１つを前記干渉ＵＥに行わせることを含む、請求項１５に記載の方法。
【請求項１９】
干渉を管理することは、
干渉を回避するために周波数分割多重化（ＦＤＭ）または時分割多重化（ＴＤＭ）をスケジュールすることを備える、
請求項１５に記載の方法。
【請求項２０】
１つまたは複数の近隣基地局（ＢＳ）から半静的システム情報を受信するための手段と、
前記受信した情報に基づいて、ＵＥが物理アップリンク制御チャネル（ＰＵＣＣＨ）中で干渉を引き起こす近隣ＢＳを識別することと、前記干渉近隣基地局によって干渉ユーザ機器（ＵＥ）に割り当てられた対応するリソースを識別することとを行うための手段と、
前記干渉ＵＥによって引き起こされる干渉を管理するための手段と
を備え、干渉を管理するための前記手段は、
物理アップリンク共有チャネル（ＰＵＳＣＨ）が時分割多重化（ＴＤＭ）区分によりクリーンである場合、１つまたは複数のＰＵＣＣＨが前記ＰＵＳＣＨ上で送信されるように半永続的スケジューリング（ＳＰＳ）を割り当てるための手段を備える、ワイヤレス通信のための装置。
【請求項２１】
１つまたは複数の近隣基地局（ＢＳ）から半静的システム情報を受信するための手段と、
前記受信した情報に基づいて、ＵＥが物理アップリンク制御チャネル（ＰＵＣＣＨ）中で干渉を引き起こす近隣ＢＳを識別することと、前記干渉近隣基地局によって干渉ユーザ機器（ＵＥ）に割り当てられた対応するリソースを識別することとを行うための手段と、
前記干渉ＵＥによって引き起こされる干渉を管理するための手段と
を備え、干渉を管理するための前記手段は、
前記ＵＥが前記近隣基地局によって異なる周波数にハンドオーバされるように、前記干渉ＵＥからの干渉測定をトリガするために１つまたは複数のビーコン信号を送るための手段を備える、ワイヤレス通信のための装置。
【請求項２２】
前記半静的システム情報は、ネットワーク中で受信した信号をリッスンすることによって受信されるシステム情報ブロック（ＳＩＢ２）情報を備える、
請求項２０または２１に記載の装置。
【請求項２３】
前記半静的システム情報は、ＰＵＣＣＨ  ＡＣＫに関連するシステム情報を備える、
請求項２０または２１に記載の装置。
【請求項２４】
前記半静的システム情報は、ＰＵＣＣＨ  ＣＱＩチャネルに関連するシステム情報を備える、
請求項２０または２１に記載の装置。
【請求項２５】
前記半静的システム情報は、コンピュータ生成シーケンス（ＣＧＳ）ホッピング構成、ＰＵＣＣＨチャネル品質インジケータ（ＣＱＩ）リソースブロック（ＲＢ）領域、ＰＵＣＣＨ混合肯定応答（ＡＣＫ）／ＣＱＩ  ＲＢ領域、ＰＵＣＣＨ  ＡＣＫ  ＲＢにおけるユーザの最大数、またはセルサウンディング基準信号（ＳＲＳ）構成のうちの少なくとも１つを備える、
請求項２２に記載の装置。
【請求項２６】
前記半静的システム情報は、前記近隣基地局からＸ２インターフェースまたはファイバー接続のうちの少なくとも１つを介して受信される、
請求項２０または２１に記載の装置。
【請求項２７】
前記干渉ＵＥに割り当てられた前記リソースに関する情報を前記識別された近隣ＢＳに送信するための手段を備え、前記送信された情報は、干渉管理のために前記近隣基地局によって使用される、
請求項２０または２１に記載の装置。
【請求項２８】
前記干渉ＵＥによって引き起こされる干渉を管理するための前記手段は、前記近隣ＢＳにオーバーロード指示メッセージを送るための手段を備える、
請求項２０または２１に記載の装置。
【請求項２９】
前記干渉ＵＥによって引き起こされる干渉を管理するための前記手段は、別のＢＳに転送すること、電力を低減すること、または別様にスケジュールされることのうちの少なくとも１つを前記干渉ＵＥに行わせることを前記近隣ＢＳに行わせるメッセージを前記近隣ＢＳに送るための手段を備える、
請求項２０または２１に記載の装置。
【請求項３０】
干渉を管理するための前記手段は、
干渉を回避するために、周波数分割多重化（ＦＤＭ）または時分割多重化（ＴＤＭ）においてサービスを受けるＵＥをスケジュールするための手段を備える、
請求項２０または２１に記載の装置。
【請求項３１】
干渉を管理するための前記手段は、
アップリンク送信を干渉から保護するために適応雑音パディングを実行するための手段を備える、
請求項２０または２１に記載の装置。
【請求項３２】
干渉を引き起こす前記近隣ＢＳを識別することは、
近隣ＢＳの肯定応答チャネルのエネルギーをしきい値と比較するための手段と、
前記肯定応答チャネルのエネルギーが前記しきい値に等しいかまたはそれよりも大きい場合、前記近隣ＢＳによってサービスされる前記干渉ＵＥの接近を宣言するための手段と
を備える、請求項２０または２１に記載の装置。
【請求項３３】
干渉を引き起こす前記近隣ＢＳを識別するための前記手段は、
近隣ＢＳのチャネル品質インジケータ（ＣＱＩ）の信号対雑音比（ＳＮＲ）をしきい値と比較するための手段と、
前記ＣＱＩのＳＮＲが前記しきい値に等しいかまたはそれよりも大きい場合、前記近隣ＢＳによってサービスされる前記干渉ＵＥの接近を宣言するための手段と
を備える、請求項２０または２１に記載の装置。
【請求項３４】
近隣基地局から、干渉ユーザ機器（ＵＥ）に割り当てられたリソースに関する情報を受信するための手段と、
前記受信した情報に基づいて前記干渉ＵＥを識別するための手段と、
前記干渉ＵＥによって引き起こされる干渉を管理するための手段と
を備え、干渉を管理するための前記手段は、
物理アップリンク共有チャネル（ＰＵＳＣＨ）が時分割多重化（ＴＤＭ）区分によりクリーンである場合、１つまたは複数のＰＵＣＣＨが前記ＰＵＳＣＨ上で送信されるように半永続的スケジューリング（ＳＰＳ）を割り当てるための手段を備える、ワイヤレス通信のための装置。
【請求項３５】
前記干渉ＵＥによって引き起こされる干渉を管理するための前記手段は、
前記干渉ＵＥに異なる周波数を割り当てるための手段を備える、
請求項３４に記載の装置。
【請求項３６】
近隣基地局から、干渉ＵＥに割り当てられたリソースに関する情報を受信するための前記手段は、前記近隣基地局からオーバーロード指示メッセージを受信するための手段を備える、
請求項３４に記載の装置。
【請求項３７】
前記干渉ＵＥによって引き起こされる干渉を管理するための前記手段は、別のＢＳに転送すること、電力を低減すること、または別様にスケジュールされることのうちの少なくとも１つを前記干渉ＵＥに行わせるための手段を備える、
請求項３４に記載の装置。
【請求項３８】
干渉を管理するための前記手段は、
干渉を回避するために周波数分割多重化（ＦＤＭ）または時分割多重化（ＴＤＭ）をスケジュールするための手段を備える、
請求項３４に記載の装置。
【請求項３９】
１つまたは複数の近隣基地局（ＢＳ）から半静的システム情報を受信することと、前記受信した情報に基づいて、ＵＥが物理アップリンク制御チャネル（ＰＵＣＣＨ）中で干渉を引き起こす近隣ＢＳを識別することと、前記干渉近隣基地局によって干渉ユーザ機器（ＵＥ）に割り当てられた対応するリソースを識別することと、前記干渉ＵＥによって引き起こされる干渉を管理することと
を行うように構成された少なくとも１つのプロセッサと、
前記少なくとも１つのプロセッサに結合されたメモリと
を備え、干渉を管理することは、
物理アップリンク共有チャネル（ＰＵＳＣＨ）が時分割多重化（ＴＤＭ）区分によりクリーンである場合、１つまたは複数のＰＵＣＣＨが前記ＰＵＳＣＨ上で送信されるように半永続的スケジューリング（ＳＰＳ）を割り当てることを備える、ワイヤレス通信のための装置。
【請求項４０】
１つまたは複数の近隣基地局（ＢＳ）から半静的システム情報を受信することと、前記受信した情報に基づいて、ＵＥが物理アップリンク制御チャネル（ＰＵＣＣＨ）中で干渉を引き起こす近隣ＢＳを識別することと、前記干渉近隣基地局によって干渉ユーザ機器（ＵＥ）に割り当てられた対応するリソースを識別することと、前記干渉ＵＥによって引き起こされる干渉を管理することと
を行うように構成された少なくとも１つのプロセッサと、
前記少なくとも１つのプロセッサに結合されたメモリと
を備え、干渉を管理することは、
前記ＵＥが前記近隣基地局によって異なる周波数にハンドオーバされるように、前記干渉ＵＥからの干渉測定をトリガするために１つまたは複数のビーコン信号を送ることを備える、ワイヤレス通信のための装置。
【請求項４１】
近隣基地局から、干渉ユーザ機器（ＵＥ）に割り当てられたリソースに関する情報を受信することと、
前記受信した情報に基づいて前記干渉ＵＥを識別することと、
前記干渉ＵＥによって引き起こされる干渉を管理することと
を行うように構成された少なくとも１つのプロセッサと、
前記少なくとも１つのプロセッサに結合されたメモリと
を備え、干渉を管理することは、
物理アップリンク共有チャネル（ＰＵＳＣＨ）が時分割多重化（ＴＤＭ）区分によりクリーンである場合、１つまたは複数のＰＵＣＣＨが前記ＰＵＳＣＨ上で送信されるように半永続的スケジューリング（ＳＰＳ）を割り当てることを備える、ワイヤレス通信のための装置。
【請求項４２】
その上に記憶された命令を備えるワイヤレス通信のためのコンピュータプログラムであって、前記命令は、少なくとも１つのプロセッサによって、
１つまたは複数の近隣基地局（ＢＳ）から半静的システム情報を受信することと、
前記受信した情報に基づいて、ＵＥが物理アップリンク制御チャネル（ＰＵＣＣＨ）中で干渉を引き起こす近隣ＢＳを識別することと、前記干渉近隣基地局によって干渉ユーザ機器（ＵＥ）に割り当てられた対応するリソースを識別することと、
前記干渉ＵＥによって引き起こされる干渉を管理することと
を行うように実行可能であり、干渉を管理することは、
物理アップリンク共有チャネル（ＰＵＳＣＨ）が時分割多重化（ＴＤＭ）区分によりクリーンである場合、１つまたは複数のＰＵＣＣＨが前記ＰＵＳＣＨ上で送信されるように半永続的スケジューリング（ＳＰＳ）を割り当てることを備える、コンピュータプログラム。
【請求項４３】
その上に記憶された命令を備えるワイヤレス通信のためのコンピュータプログラムであって、前記命令は、少なくとも１つのプロセッサによって、
１つまたは複数の近隣基地局（ＢＳ）から半静的システム情報を受信することと、
前記受信した情報に基づいて、ＵＥが物理アップリンク制御チャネル（ＰＵＣＣＨ）中で干渉を引き起こす近隣ＢＳを識別することと、前記干渉近隣基地局によって干渉ユーザ機器（ＵＥ）に割り当てられた対応するリソースを識別することと、
前記干渉ＵＥによって引き起こされる干渉を管理することと
を行うように実行可能であり、干渉を管理することは、
前記ＵＥが前記近隣基地局によって異なる周波数にハンドオーバされるように、前記干渉ＵＥからの干渉測定をトリガするために１つまたは複数のビーコン信号を送ることを備える、コンピュータプログラム。
【請求項４４】
その上に記憶された命令を備えるワイヤレス通信のためのコンピュータプログラムであって、前記命令は、少なくとも１つのプロセッサによって、
近隣基地局から、干渉ユーザ機器（ＵＥ）に割り当てられたリソースに関する情報を受信することと、
前記受信した情報に基づいて前記干渉ＵＥを識別することと、
前記干渉ＵＥによって引き起こされる干渉を管理することと
を行うように実行可能であり、干渉を管理することは、
物理アップリンク共有チャネル（ＰＵＳＣＨ）が時分割多重化（ＴＤＭ）区分によりクリーンである場合、１つまたは複数のＰＵＣＣＨが前記ＰＵＳＣＨ上で送信されるように半永続的スケジューリング（ＳＰＳ）を割り当てることを備える、コンピュータプログラム。
【発明の詳細な説明】
【関連出願】
【０００１】
米国特許法第１１９条に基づく優先権の主張  
本特許出願は、本出願の譲受人に譲渡され、参照により本明細書に明確に組み込まれる、２０１１年１１月７日に出願された「Method and Apparatus for Proximity Detection」と題する米国仮出願第６１／５５６，７８３号の優先権を主張する。
【技術分野】
【０００２】
本開示は、一般にワイヤレス通信に関し、より詳細には、ワイヤレスネットワークにおいて干渉を検出および／または管理することに関する。
【背景技術】
【０００３】
ワイヤレス通信ネットワークは、音声、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、いくつかのユーザ機器（ＵＥ：user equipment）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
基地局は、ダウンリンク上で１つまたは複数のＵＥにデータを送信し得、アップリンク上で１つまたは複数のＵＥからデータを受信し得る。ダウンリンク上では、基地局からのデータ送信は、たとえば、近隣基地局からのデータ送信による干渉を観測することがある。アップリンク上では、ＵＥからのデータ送信は、たとえば、近隣基地局と通信する他のＵＥからのデータ送信による干渉を観測することがある。ダウンリンクとアップリンクの両方について、基地局および／またはＵＥなどの干渉ネットワークエンティティによる干渉がパフォーマンスを劣化させることがある。
【発明の概要】
【０００６】
本開示のいくつかの態様は、ワイヤレス通信のための方法を提供する。本方法は、概して、１つまたは複数の近隣基地局（ＢＳ）から半静的（semi-static）システム情報を受信することと、受信した情報に基づいて、物理アップリンク制御チャネル（ＰＵＣＣＨ：physical uplink control channel）中で干渉を引き起こす近隣ＢＳを識別することと、干渉近隣基地局によって干渉ユーザ機器（ＵＥ）に割り当てられた対応するリソースを識別することとを含む。
【０００７】
本開示のいくつかの態様は、ワイヤレス通信のための方法を提供する。本方法は、概して、近隣基地局から、干渉ＵＥに割り当てられたリソースに関する情報を受信することと、受信した情報に基づいて干渉ＵＥを識別することとを含む。
【０００８】
本開示のいくつかの態様は、ワイヤレス通信のための別の方法を提供する。本方法は、概して、１つまたは複数の受信信号の干渉オーバーサーマル（ＩｏＴ：interference over thermal）情報をモニタすることと、関連するＴＤＭパーティションインターレース、周波数サブバンド、またはサブフレームのうちの少なくとも１つごとにＩｏＴ情報をフィルタ処理することと、フィルタ処理に基づいて、干渉を引き起こす接近ユーザ機器（ＵＥ）の存在を宣言することとを含む。
【０００９】
本開示のいくつかの態様は、ワイヤレス通信のための別の方法を提供する。本方法は、概して、少なくとも第１のシンボルと第２のシンボルとを備える信号を受信することと、第１のシンボルと第２のシンボルとの周波数領域サンプルの要素毎の（element-wise）積を計算することと、要素毎の積の逆離散フーリエ変換（ＩＤＦＴ：inverse discrete Fourier transform）を実行することと、要素毎の積のＩＤＦＴにおけるピークの検出に基づいて、干渉を引き起こす接近ユーザ機器の存在を宣言することとを含む。
【００１０】
本開示のいくつかの態様は、ワイヤレス通信のための装置を提供する。本装置は、概して、１つまたは複数の近隣基地局（ＢＳ）から半静的システム情報を受信することと、受信した情報に基づいて、物理アップリンク制御チャネル（ＰＵＣＣＨ）中で干渉を引き起こす近隣ＢＳを識別することと、干渉近隣基地局によって干渉ユーザ機器（ＵＥ）に割り当てられた対応するリソースを識別することとを含む。
【００１１】
本開示のいくつかの態様は、ワイヤレス通信のための装置を提供する。本装置は、概して、近隣基地局から、干渉ＵＥに割り当てられたリソースに関する情報を受信するための手段と、受信した情報に基づいて干渉ＵＥを識別するための手段とを含む。
【００１２】
本開示のいくつかの態様は、ワイヤレス通信のための別の装置を提供する。本装置は、概して、１つまたは複数の受信信号の干渉オーバーサーマル（ＩｏＴ）情報をモニタするための手段と、関連するＴＤＭパーティションインターレース、周波数サブバンド、またはサブフレームのうちの少なくとも１つごとにＩｏＴ情報をフィルタ処理するための手段と、フィルタ処理に基づいて、干渉を引き起こす接近ユーザ機器（ＵＥ）の存在を宣言するための手段とを含む。
【００１３】
本開示のいくつかの態様は、ワイヤレス通信のための別の装置を提供する。本装置は、概して、少なくとも第１のシンボルと第２のシンボルとを備える信号を受信するための手段と、第１のシンボルと第２のシンボルとの周波数領域サンプルの要素毎の積を計算するための手段と、要素毎の積の逆離散フーリエ変換（ＩＤＦＴ）を実行するための手段と、要素毎の積のＩＤＦＴにおけるピークの検出に基づいて、干渉を引き起こす接近ユーザ機器の存在を宣言するための手段とを含む。
【００１４】
本開示のいくつかの態様は、ワイヤレス通信のための装置を提供する。本装置は、概して、１つまたは複数の近隣基地局（ＢＳ）から半静的システム情報を受信することと、受信した情報に基づいて、物理アップリンク制御チャネル（ＰＵＣＣＨ）中で干渉を引き起こす近隣ＢＳを識別することと、干渉近隣基地局によって干渉ユーザ機器（ＵＥ）に割り当てられた対応するリソースを識別することとを行うように構成された少なくとも１つのプロセッサと、少なくとも１つのプロセッサに結合されたメモリとを含む。
【００１５】
本開示のいくつかの態様は、ワイヤレス通信のための装置を提供する。本装置は、概して、近隣基地局から、干渉ＵＥに割り当てられたリソースに関する情報を受信することと、受信した情報に基づいて干渉ＵＥを識別することとを行うように構成された少なくとも１つのプロセッサと、少なくとも１つのプロセッサに結合されたメモリとを含む。
【００１６】
本開示のいくつかの態様は、ワイヤレス通信のための別の装置を提供する。本装置は、概して、１つまたは複数の受信信号の干渉オーバーサーマル（ＩｏＴ）情報をモニタすることと、関連するＴＤＭパーティションインターレース、周波数サブバンド、またはサブフレームのうちの少なくとも１つごとにＩｏＴ情報をフィルタ処理することと、フィルタ処理に基づいて、干渉を引き起こす接近ユーザ機器（ＵＥ）の存在を宣言することとを行うように構成された少なくとも１つのプロセッサと、少なくとも１つのプロセッサに結合されたメモリとを含む。
【００１７】
本開示のいくつかの態様は、ワイヤレス通信のための別の装置を提供する。本装置は、概して、少なくとも第１のシンボルと第２のシンボルとを備える信号を受信することと、第１のシンボルと第２のシンボルとの周波数領域サンプルの要素毎の積を計算することと、要素毎の積の逆離散フーリエ変換（ＩＤＦＴ）を実行することと、要素毎の積のＩＤＦＴにおけるピークの検出に基づいて、干渉を引き起こす接近ユーザ機器の存在を宣言することとを行うように構成された少なくとも１つのプロセッサと、少なくとも１つのプロセッサに結合されたメモリとを含む。
【００１８】
本開示のいくつかの態様は、その上に記憶された命令を有するコンピュータ可読媒体を備える、ワイヤレス通信のためのコンピュータプログラム製品を提供する。命令は、概して、１つまたは複数の近隣基地局（ＢＳ）から半静的システム情報を受信することと、受信した情報に基づいて、物理アップリンク制御チャネル（ＰＵＣＣＨ）中で干渉を引き起こす近隣ＢＳを識別することと、干渉近隣基地局によって干渉ユーザ機器（ＵＥ）に割り当てられた対応するリソースを識別することとを行うために、１つまたは複数のプロセッサによって実行可能である。
【００１９】
本開示のいくつかの態様は、その上に記憶された命令を有するコンピュータ可読媒体を備える、ワイヤレス通信のためのコンピュータプログラム製品を提供する。命令は、概して、近隣基地局から、干渉ＵＥに割り当てられたリソースに関する情報を受信することと、受信した情報に基づいて干渉ＵＥを識別することとを行うために、１つまたは複数のプロセッサによって実行可能である。
【００２０】
本開示のいくつかの態様は、その上に記憶された命令を有するコンピュータ可読媒体を備える、ワイヤレス通信のためのコンピュータプログラム製品を提供する。命令は、概して、１つまたは複数の受信信号の干渉オーバーサーマル（ＩｏＴ）情報をモニタすることと、関連するＴＤＭパーティションインターレース、周波数サブバンド、またはサブフレームのうちの少なくとも１つごとにＩｏＴ情報をフィルタ処理することと、フィルタ処理に基づいて、干渉を引き起こす接近ユーザ機器（ＵＥ）の存在を宣言することとを行うために、１つまたは複数のプロセッサによって実行可能である。
【００２１】
本開示のいくつかの態様は、その上に記憶された命令を有するコンピュータ可読媒体を備える、ワイヤレス通信のためのコンピュータプログラム製品を提供する。命令は、概して、少なくとも第１のシンボルと第２のシンボルとを備える信号を受信することと、第１のシンボルと第２のシンボルとの周波数領域サンプルの要素毎の積を計算することと、要素毎の積の逆離散フーリエ変換（ＩＤＦＴ）を実行することと、要素毎の積のＩＤＦＴにおけるピークの検出に基づいて、干渉を引き起こす接近ユーザ機器の存在を宣言することとを行うために、１つまたは複数のプロセッサによって実行可能である。
【００２２】
方法、装置、システム、コンピュータプログラム製品、および処理システムを含む多数の他の態様が提供される。
【図面の簡単な説明】
【００２３】
【図１】本開示のいくつかの態様による、例示的な異種ワイヤレス通信ネットワークを示す図。
【図２】本開示のいくつかの態様による、アクセスポイントおよびアクセス端末の例示的な構成要素のブロック図。
【図３】本開示のいくつかの態様による、マクロ拡張ノードＢ（ｅＮＢ）とピコノードとを含む異種ネットワークにおける例示的な干渉状態を示す図。
【図４】本開示のいくつかの態様による、異種ネットワークにおける別の例示的な干渉状態を示す図。
【図５】本開示のいくつかの態様による、潜在的干渉または干渉ユーザ機器（ＵＥ）の接近を検出するために、たとえば、検出基地局によって実行され得る例示的な動作を示す図。
【図６】本開示のいくつかの態様による、干渉ＵＥからの干渉を管理するために、たとえば、近隣基地局によって実行され得る例示的な動作を示す図。
【図７】本開示のいくつかの態様による、提案する半ブラインド（semi-blind）接近検出方式を使用する接近検出アーキテクチャの例示的なブロック図。
【図８】本開示のいくつかの態様による、潜在的干渉または干渉ＵＥの接近を検出するために、たとえば、検出基地局によって実行され得る例示的な動作を示す図。
【図９】本開示のいくつかの態様による、潜在的干渉または干渉ＵＥの接近を検出するために、たとえば、検出基地局によって実行され得る例示的な動作を示す図。
【図１０】本開示のいくつかの態様による、潜在的干渉または干渉ＵＥの検出によって干渉を緩和することが可能な例示的な通信システムを示す図。
【発明を実施するための形態】
【００２４】
次に、図面を参照しながら様々な態様について説明する。以下の説明では、説明のために、１つまたは複数の態様の完全な理解を与えるために多数の具体的な詳細を記載する。ただし、そのような（１つまたは複数の）態様は、これらの具体的な詳細なしに実施され得ることを認識されよう。
【００２５】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行ファイル、実行スレッド、プログラムおよび／またはコンピュータであり得るが、これらに限定されない。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素が１つのコンピュータ上に配置され得、および／または２つ以上のコンピュータ間に分散され得る。さらに、これらの構成要素は、様々なデータ構造を記憶している様々なコンピュータ可読媒体から実行することができる。これらの構成要素は、信号を介して、ローカルシステム、分散システム内の別の構成要素と相互作用し、および／またはインターネットなどのネットワーク上で他のシステムと相互作用する１つの構成要素からのデータのような、１つまたは複数のデータパケットを有する信号に従うことなどによって、ローカルプロセスおよび／またはリモートプロセスを介して通信し得る。
【００２６】
さらに、本明細書では、ワイヤード端末またはワイヤレス端末であり得る端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様について説明する。基地局は、（１つまたは複数の）ワイヤレス端末と通信するために利用され得、アクセスポイント、ノードＢ、ｅノードＢ（ｅＮＢ）、または何らかの他の用語で呼ばれることもある。
【００２７】
さらに、「または」という用語は、排他的な「または」ではなく、包括的な「または」を意味するものとする。すなわち、別段に規定されていない限り、または文脈から明らかでない限り、「ＸはＡまたはＢを採用する」という句は、自然包括的並べ替えのいずれかを意味するものとする。すなわち、「ＸはＡまたはＢを採用する」という句は、ＸがＡを採用する場合、ＸがＢを採用する場合、またはＸがＡとＢの両方を採用する場合のいずれによっても満たされる。さらに、本出願と添付の特許請求の範囲とにおいて使用する冠詞「ａ」および「ａｎ」は、別段に規定されていない限り、または単数形を対象とすべきであると文脈から明らかでない限り、概して「１つまたは複数」を意味すると解釈されるべきである。
【００２８】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ＣＤＭＡ２０００などの無線技術を実装し得る。ＵＴＲＡは、広帯域ＣＤＭＡ（Ｗ−ＣＤＭＡ（登録商標））と低チップレート（ＬＣＲ）とを含む。ＣＤＭＡ２０００は、ＩＳ−２０００、ＩＳ−９５およびＩＳ−８５６規格をカバーする。ＴＤＭＡネットワークは、グローバルシステムフォーモバイルコミュニケーション（ＧＳＭ（登録商標））などの無線技術を実装し得る。
【００２９】
ＯＦＤＭＡネットワークは、発展型ＵＴＲＡ（Ｅ−ＵＴＲＡ：Evolved UTRA）、ＩＥＥＥ８０２．１１、ＩＥＥＥ８０２．１６、ＩＥＥＥ８０２．２０、フラッシュＯＦＤＭ（登録商標）などの無線技術を実装し得る。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。ロングタームエボリューション（ＬＴＥ：Long Term Evolution）は、Ｅ−ＵＴＲＡを使用するＵＭＴＳの最近のリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ：3rd Generation Partnership Project）と称する団体からの文書に記載されている。ＣＤＭＡ２０００は、「第３世代パートナーシッププロジェクト２」（３ＧＰＰ２：3rd Generation Partnership Project 2）と称する団体からの文書に記載されている。これらの様々な無線技術および規格は当技術分野で知られている。明快のために、本技法のいくつかの態様について以下ではＬＴＥに関して説明し、以下の説明の大部分でＬＴＥ用語を使用する。
【００３０】
シングルキャリア変調と周波数領域等化とを利用するシングルキャリア周波数分割多元接続（ＳＣ−ＦＤＭＡ）は、ＯＦＤＭＡシステムと同様のパフォーマンスおよび本質的に同じ全体的な複雑さを有する。ＳＣ−ＦＤＭＡ信号は、それの固有のシングルキャリア構造のために、より低いピーク対平均電力比（ＰＡＰＲ：peak-to-average power ratio）を有する。ＳＣ−ＦＤＭＡは、特に、より低いＰＡＰＲが送信電力効率の点でモバイル端末に利益を与えるアップリンク通信において、大きい注目を引いている。
【００３１】
図１に、本開示の様々な態様が実行され得る例示的な異種ワイヤレスネットワーク１００を示す。
【００３２】
ワイヤレス通信ネットワーク１００は、ＬＴＥネットワークまたは何らかの他のワイヤレスネットワークであり得る。ワイヤレスネットワーク１００は、いくつかの発展型ノードＢ（ｅＮＢ）１１０と他のネットワークエンティティとを含み得る。ｅＮＢは、ＵＥと通信するエンティティであり得、基地局、ノードＢ、アクセスポイントなどと呼ばれることもある。各ｅＮＢは、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスするｅＮＢサブシステムを指すことがある。
【００３３】
ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはホームｅＮＢ（ＨｅＮＢ）またはフェムトｅＮＢと呼ばれることがある。図１に示す例では、ｅＮＢ１１０ａがマクロセル１０２ａのためのマクロｅＮＢであり得、ｅＮＢ１１０ｂがピコセル１０２ｂのためのピコｅＮＢであり得、ｅＮＢ１１０ｃがフェムトセル１０２ｃのためのフェムトｅＮＢであり得る。ｅＮＢは、１つまたは複数の（たとえば、３つの）セルをサポートし得る。「ｅＮＢ」、「基地局」、および「セル」という用語は、本明細書では互換的に使用され得る。
【００３４】
ワイヤレスネットワーク１００はまた、中継器を含み得る。中継器は、上流局（たとえば、ｅＮＢまたはＵＥ）からデータの送信を受信し、そのデータの送信を下流局（たとえば、ＵＥまたはｅＮＢ）に送ることができるエンティティであり得る。中継器はまた、他のＵＥに対する送信を中継することができるＵＥであり得る。図１に示す例では、中継器１１０ｄは、ｅＮＢ１１０ａとＵＥ１２０ｄとの間の通信を可能にするために、バックホールリンクを介してマクロｅＮＢ１１０ａと通信し、アクセスリンクを介してＵＥ１２０ｄと通信し得る。中継器は、中継ｅＮＢ、中継局、中継基地局などと呼ばれることもある。
【００３５】
ワイヤレスネットワーク１００は、様々なタイプのｅＮＢ、たとえば、マクロｅＮＢ、ピコｅＮＢ、フェムトｅＮＢ、中継ｅＮＢなどを含む異種ネットワークであり得る。これらの様々なタイプのｅＮＢは、様々な送信電力レベル、様々なカバレージサイズ、およびワイヤレスネットワーク１００における干渉に対する様々な影響を有し得る。たとえば、マクロｅＮＢは、高い送信電力レベル（たとえば、５〜４０ワット）を有し得るが、ピコｅＮＢ、フェムトｅＮＢ、および中継器は、より低い送信電力レベル（たとえば、０．１〜２ワット）を有し得る。
【００３６】
ネットワークコントローラ１３０は、ｅＮＢのセットに結合し得、これらのｅＮＢの協調および制御を行い得る。ネットワークコントローラ１３０は、単一のネットワークエンティティまたはネットワークエンティティの集合を備え得る。ネットワークコントローラ１３０はバックホールを介してｅＮＢと通信し得る。ｅＮＢはまた、たとえば、ワイヤレスバックホールまたはワイヤラインバックホールを介して直接または間接的に互いに通信し得る。
【００３７】
ＵＥ１２０はワイヤレスネットワーク１００全体にわたって分散され得、各ＵＥは固定または移動であり得る。ＵＥは、移動局、端末、アクセス端末、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スマートフォン、ネットブック、スマートブックなどであり得る。ＵＥは、マクロｅＮＢ、ピコｅＮＢ、フェムトｅＮＢ、中継器などと通信することが可能であり得る。ＵＥはまた、別のＵＥとピアツーピア（Ｐ２Ｐ）に通信することが可能であり得る。図１に示す例では、ＵＥ１２０ｅおよび１２０ｆは、ワイヤレスネットワーク１００中のｅＮＢと通信することなしに互いに直接通信し得る。Ｐ２Ｐ通信は、ＵＥ間のローカル通信のためのワイヤレスネットワーク１００上の負荷を低減し得る。ＵＥ間のＰ２Ｐ通信はまた、１つのＵＥが別のＵＥのために中継器として働くことを可能にし、それによって他のＵＥがｅＮＢに接続することを可能にし得る。
【００３８】
図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉送信を示す。
【００３９】
ＵＥは、複数のｅＮＢのカバレージ内に位置し得る。そのＵＥをサービスするために、これらのｅＮＢのうちの１つが選択され得る。サービングｅＮＢは、受信信号強度、受信信号品質、パスロス、加入者グループ中のメンバーシップなど、様々な基準に基づいて選択され得る。受信信号品質は、信号対雑音干渉比（ＳＩＮＲ：signal-to-noise-and-interference ratio）、または基準信号受信品質（ＲＳＲＱ：reference signal received quality）、または何らかの他のメトリックによって定量化され得る。
【００４０】
ＵＥは、ＵＥが１つまたは複数の干渉ｅＮＢからの高い干渉を観測し得る支配的干渉シナリオにおいて動作し得る。支配的干渉シナリオは、制限された関連付けにより発生し得る。たとえば、図１では、ＵＥ１２０ｃは、フェムトｅＮＢ１１０ｃの近くにあり得、ｅＮＢ１１０ｃについて高い受信電力を有し得る。しかしながら、ＵＥ１２０ｃは、制限された関連付けによりフェムトｅＮＢ１１０ｃにアクセスできないことがあり、次いで、より低い受信電力をもつｅＮＢ１１０ａに接続し得る。その場合、ＵＥ１２０ｃは、ダウンリンク上でフェムトｅＮＢ１１０ｃからの高い干渉を観測し得、および／またはアップリンク上でフェムトｅＮＢ１１０ｃに高い干渉を引き起こし得る。
【００４１】
支配的干渉シナリオはまた、範囲拡張により発生し得、これは、ＵＥが、ＵＥによって検出されたすべてのｅＮＢのうち、より低いパスロスと場合によってはより低いＳＩＮＲとをもつｅＮＢに接続するシナリオである。たとえば、図１では、ＵＥ１２０ｂは、マクロｅＮＢ１１０ａよりもピコｅＮＢ１１０ｂの近くに位置し得、ピコｅＮＢ１１０ｂについてより低いパスロスを有し得る。しかしながら、マクロｅＮＢ１１０ａと比較してピコｅＮＢ１１０ｂの送信電力レベルがより低いことにより、ＵＥ１２０ｂは、ピコｅＮＢ１１０ｂについて、マクロｅＮＢ１１０ａよりも低い受信電力を有し得る。とはいえ、より低いパスロスにより、ＵＥ１２０ｂはピコｅＮＢ１１０ｂに接続することが望ましいことがある。これにより、ＵＥ１２０ｂの所与のデータレートに対してワイヤレスネットワークへの干渉が少なくなり得る。
【００４２】
支配的干渉シナリオにおける通信をサポートするために様々な干渉管理技法が使用され得る。これらの干渉管理技法には、（セル間干渉協調（ＩＣＩＣ：inter-cell interference coordination）と呼ばれることがある）半静的リソース区分、動的リソース割当て、干渉消去などがある。半静的リソース区分は、リソースを異なるセルに割り当てるために（たとえば、バックホールネゴシエーションを介して）実行され得る。リソースは、サブフレーム、サブバンド、キャリア、リソースブロック、送信電力などを備え得る。各セルには、他のセルまたはそれらのＵＥからの干渉をほとんどまたはまったく観測し得ないリソースのセットが割り当てられ得る。また、動的リソース割当ては、ダウンリンクおよび／またはアップリンク上で強い干渉を観測するＵＥの通信をサポートするために、必要に応じてリソースを割り当てるために（たとえば、セルとＵＥとの間のオーバージエアメッセージの交換を介して）実行され得る。また、干渉消去は、干渉セルからの干渉を緩和するためにＵＥによって実行され得る。
【００４３】
ワイヤレスネットワーク１００は、ダウンリンクおよびアップリンク上でのデータ送信のためにハイブリッド自動再送信（ＨＡＲＱ：hybrid automatic retransmission）をサポートし得る。ＨＡＲＱの場合、送信機（たとえば、ｅＮＢ）は、パケットが受信機（たとえば、ＵＥ）によって正しく復号されるまで、または何らかの他の終了条件に遭遇するまで、パケットの１つまたは複数の送信を送り得る。同期ＨＡＲＱの場合、パケットのすべての送信は、Ｑ番目のサブフレームごとに含み得る、単一のＨＡＲＱインターレースのサブフレーム中で送られ得、ただし、Ｑは、４、６、８、１０、または何らかの他の値に等しくなり得る。非同期ＨＡＲＱの場合、パケットの各送信は、任意のサブフレーム中で送られ、同じパケットの前の送信から最小遅延を受け得る。
【００４４】
ワイヤレスネットワーク１００は同期または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。
【００４５】
ワイヤレスネットワーク１００は、周波数分割複信（ＦＤＤ）または時分割複信（ＴＤＤ）を利用し得る。ＦＤＤの場合、ダウンリンクおよびアップリンクには別々の周波数チャネルが割り振られ得、ダウンリンク送信およびアップリンク送信は２つの周波数チャネル上で同時に送られ得る。ＴＤＤの場合、ダウンリンクおよびアップリンクは同じ周波数チャネルを共有し得、ダウンリンク送信およびアップリンク送信は、異なる時間期間において同じ周波数チャネル上で送られ得る。
【００４６】
図２は、例示的なワイヤレスシステム２００における例示的な基地局２１０とアクセス端末２５０との例示的な構成要素を示すブロック図２００である。基地局２１０は、図１に示したｅＮＢ１１０のうちの１つなどのアクセスポイントまたはｅＮＢであり得、アクセス端末２５０は、図１に示したＵＥ１２０のうちの１つなどのユーザ機器であり得る。
【００４７】
基地局２１０において、いくつかのデータストリームのトラフィックデータがデータソース２１２から送信（ＴＸ）データプロセッサ２１４に与えられる。プロセッサ２３０は、ＡＴ２５０に送信されるべき制御情報を生成し得る。
【００４８】
ＴＸデータプロセッサ２１４は、データストリーム用に選択された特定のコーディング方式に基づいて、そのデータストリームごとにトラフィックデータをフォーマットし、コーディングし、インターリーブして、コード化データを与える。データストリームと制御情報とのコード化データは、ＯＦＤＭ技法を使用してパイロットデータと多重化され得る。
【００４９】
パイロットデータは、典型的には、知られている方法で処理され、チャネル応答を推定するために受信機システムにおいて使用され得る既知のデータパターンである。次いで、各データストリームの多重化されたパイロットデータおよびコード化データは、変調シンボルを与えるために、そのデータストリーム用に選択された特定の変調方式（たとえば、２位相偏移変調（ＢＰＳＫ）、４位相偏移変調（ＱＰＳＫ）、Ｍが概して２のべき乗であるＭ−ＰＳＫ、またはＭ−ＱＡＭ（直交振幅変調））に基づいて変調（すなわち、シンボルマッピング）される。各データストリームのデータレート、コーディング、および変調は、メモリ２３２に結合され得るプロセッサ２３０によって実行される命令によって判断され得る。
【００５０】
次いで、すべてのデータストリームの変調シンボルがＴＸ  ＭＩＭＯプロセッサ２２０に与えられ、ＴＸ  ＭＩＭＯプロセッサ２２０はさらに（たとえば、ＯＦＤＭの場合）その変調シンボルを処理し得る。ＴＸ  ＭＩＭＯプロセッサ２２０は、次いで、ＮT個の変調シンボルストリームをＮT個の送信機（ＴＭＴＲ）２２２ａ〜２２２ｔに与える。いくつかの態様では、ＴＸ  ＭＩＭＯプロセッサ２２０は、データストリームのシンボルと、シンボルがそこから送信されているアンテナとにビームフォーミング重みを適用する。
【００５１】
送信機２２２は、ダウンリンクコンポーネントキャリアごとにシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した被変調信号を与える。送信機２２２ａ〜２２２ｔからのＮT個の被変調信号は、次いで、それぞれＮT個のアンテナ２２４ａ〜２２４ｔから送信される。
【００５２】
アクセス端末２５０において、ダウンリンクコンポーネントキャリアのための送信された被変調信号はＮR個のアンテナ２５２ａ〜２５２ｒによって受信され、各アンテナ２５２からの受信信号は、受信機２５４ａ〜２５４ｒのそれぞれの受信機（ＲＣＶＲ）に与えられる。各受信機２５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００５３】
次いで、ＲＸデータプロセッサ２６０が、ＮR個の受信機２５４からＮR個の受信シンボルストリームを受信し、特定の受信機処理技法に基づいて処理して、ＮT個の「検出」シンボルストリームを与える。ＲＸデータプロセッサ２６０は、次いで、構成されたコンポーネントキャリアごとに各検出シンボルストリームを復調し、デインターリーブし、復号して、たとえば、（本明細書で説明する潜在的干渉セルにおける慎重なリソース割当てによって保護され得る）ＰＤＳＣＨ信号とブロードキャスト信号とを含む、トラフィックデータと制御情報とを復元する。
【００５４】
ＲＸデータプロセッサ２６０による処理は、送信機システム２１０におけるＴＸ  ＭＩＭＯプロセッサ２２０およびＴＸデータプロセッサ２１４によって実行される処理と相補的なものであり得る。メモリ２７２に結合され得るプロセッサ２７０は、どのプリコーディング行列を使用すべきかを周期的に判断する。プロセッサ２７０は、行列インデックス部分とランク値部分とを備えるアップリンクメッセージを作成する。
【００５５】
アップリンク（逆方向リンク）メッセージは、通信リンクおよび／または受信データストリームに関する様々なタイプの情報を備え得る。アップリンクメッセージは、次いで、データソース２３６からいくつかのデータストリームのトラフィックデータをも受信するＴＸデータプロセッサ２３８によって処理され、変調器２８０によって変調され、送信機２５４ａ〜２５４ｒによって調整され得る。
【００５６】
送信機システム２１０において、アクセス端末２５０からのアップリンク送信は、アンテナ２２４によって受信され、受信機２２２によって調整され、復調器２４０によって復調され、ＲＸデータプロセッサ２４２によって処理されて、受信機システム２５０によって送信された逆方向リンクメッセージを抽出する。次いで、プロセッサ２３０は、ビームフォーミング重みを判断するためにどのプリコーディング行列を使用すべきかなど、様々なパラメータを判断し、抽出されたメッセージを処理し続けることができる。
【００５７】
例示的な接近検出方法および装置  
従来のワイヤレスシステムでは、ユーザ機器（ＵＥ）は、一般に、ダウンリンク（ＤＬ）およびアップリンク（ＵＬ）信号対雑音比（ＳＮＲ）を最大にし、近遠効果（near-far effect）を最小にするために、最も近い基地局に接続される。しかしながら、いくつかのワイヤレスネットワークでは、ＵＥは、最も近い基地局に接続することが許されないことがある。たとえば、限定加入者グループ（ＣＳＧ）をもつ基地局がネットワーク中に展開される場合、およびＵＥが、それの近傍にある最も近い基地局のＣＳＧのメンバーでない場合、ＵＥは、それの最も近い基地局に接続することが可能でないことがある。これは、ＵＥが、ＣＳＧ基地局に極めて接近している間により遠い基地局に接続されたとき、ＵＥの深刻な干渉シナリオをもたらし得る。
【００５８】
別の例示的なシナリオは、ピコセルからのＤＬ電力が一般にマクロセルからのＤＬ電力よりもはるかに低い異種ネットワーク（ＨｅｔＮｅｔ：heterogeneous network）を伴う。この場合、ＵＥは、一般に、ピコからのＤＬ信号を検出するためにピコセルにはるかに近くなる。しかし、ＵＬ上では、ＵＥは、すでにピコセルへの強い干渉を引き起こしていることがある。
【００５９】
本開示のいくつかの態様は、基地局が、それによって基地局に接近しているが、基地局に接続されていないＵＥに気づき得る機構を与えることによって、上述の状態（および同様のシナリオ）の下で干渉を緩和し得る。本明細書で説明するように、そのような接近検出のために異なる技法が採用され得る。干渉または潜在的干渉ＵＥが検出されると、ＵＥへの／からの干渉を緩和するために干渉管理が実行され得る。
【００６０】
いくつかの態様について、以下でそのような接近検出および／または干渉緩和を実行する基地局（たとえば、ＣＳＧのｅＮＢ）に関して説明する。ただし、たとえば、別のＵＥとのピアツーピア（Ｐ２Ｐ）動作を実行するときにそれに接近している潜在的干渉または干渉ＵＥに対する干渉を緩和するために、同様の動作がＵＥなどの別のネットワークエンティティによっても実行され得ることを、当業者は認識されよう。
【００６１】
本開示のいくつかの態様は、検出エンティティ（たとえば、基地局またはＵＥ）に接近している潜在的干渉または干渉ＵＥの検出のための方法を提供する。提案する検出方式は、１つまたは複数の近隣基地局（ＢＳ）からの半静的システム情報を利用して、物理アップリンク制御チャネル（ＰＵＣＣＨ）中で干渉を引き起こす近隣ＢＳを識別し得る。提案する検出方式はまた、干渉近隣基地局によって干渉ＵＥに割り当てられた対応するリソースを識別し得る。
【００６２】
図３および図４に、本開示のいくつかの態様による、マクロｅＮＢ３０２とピコｅＮＢ３０４とを含む異種ネットワークにおける２つの例示的な干渉状態を示す。図３は、範囲拡張（ＲＥ）を用いないピコｅＮＢの干渉状態を示す。レガシーＵＥとのピコｅＮＢのカバレージエリアが曲線３０６で示されている。等しいパスロスと、−１６ｄＢΔに等しいダウンリンク受信電力とをもつエリアが曲線３０８に示されている。また、曲線３１０は、ＵＥが干渉消去を実行することが可能である場合の、ピコｅＮＢのカバレージエリアを示す。ＬＴＥ規格のＲｅｌ−８／１０に適合され得るユーザ機器Ｕ１  ３１２は、適応共通（ＡＣ：Adaptive Common）チャネル上でマクロｅＮＢ３０２によってサービスされ得る。ユーザ機器Ｕ２  ３１４は、Ｒｅｌ−８に適合され得、ＡＣ上でマクロｅＮＢによってサービスされ得る。ユーザ機器Ｕ３  ３１６は、Ｒｅｌ−８／１０に適合され得、ＡＣ上でピコｅＮＢ３０４によってサービスされ得る。図示のように、Ｕ２  ３１４は、ピコｅＮＢ３０４に近いが、それに接続されない。その結果、Ｕ２  ３１４はピコｅＮＢから強い干渉を受信し得、Ｕ２による送信はピコｅＮＢに対して干渉を引き起こし得る。
【００６３】
図４は、ＴＤＭ区分を用いたピコｅＮＢの異種ネットワーク４００における干渉状態を示す。この図では、干渉消去（ＩＣ）を実行することが可能なＵＥによって範囲拡張がトリガされ得る。異種ネットワーク３００中のノードに加えて、異種ネットワーク４００は２つの追加のユーザ機器（たとえば、Ｕ４およびＵ５）を有する。ユーザ機器Ｕ４  ３２０は、範囲拡張を使用するピコｅＮＢによってサービスされ得る。Ｕ４は、Ｒｅｌ−１０に適合され、使用可能（Ｕ：usable）チャネルまたは適応使用可能（ＡＵ：Adaptive Usable）チャネル上でサービスされ得る。Ｕ５も、範囲拡張を使用するピコｅＮＢによってサービスされ得る。Ｕ５は、Ｒｅｌ−１０に適合され、Ｕ／ＡＵ上でサービスされ得る。このネットワークでは、ユーザ機器Ｕ２は、干渉消去プロシージャを実行することが可能であるＵＥによってトリガされ得る範囲拡張のために、図３に示した場合と比較してさらにより多くの干渉を受信し得る。
【００６４】
図１のネットワーク１００などの異種ネットワークでは、基地局は異なる電力クラスを有し得る。たとえば、マクロセルは４６ｄＢｍ公称電力を有し得、ピコセルは３０ｄＢｍ公称電力を有し得、フェムトセルは２１ｄＢｍ公称電力を有し得る。したがって、低電力ノードは高電力ノードから強い干渉を受信し得る。
【００６５】
オープンアクセスネットワークでは、どのＵＥも低電力ノード（たとえば、ピコｅＮＢ）に接続し得るが、制限付き関連付け（たとえば、ＣＳＧ）では、いくつかのＵＥのみ（たとえば、ＣＳＧの一部であるＵＥ）が低電力ノードにアクセスすることが許される。
【００６６】
異種ネットワークでは、ＣＳＧをもつフェムトノードの場合、マクロｅＮＢ（たとえば、マクロセルＵＥ）と通信しているＵＥは、フェムトｅＮＢにアクセスすることができずにフェムトｅＮＢのカバレージエリアに深く入り込むことができる。これは、フェムトユーザ（たとえば、フェムトｅＮＢと通信しているＵＥ）に対して大量の干渉をもたらし得る。フェムトＵＥがマクロＵＥからの干渉を緩和するためにそれの電力を増加させる場合、フェムトＵＥはまた、マクロｅＮＢとのアップリンク通信に対して大きい干渉を引き起こし得る。これは電力競争（power racing）状態をもたらし得る。たとえば、各ＵＥは、他のノードからの干渉を緩和するためにそれの電力を増加させ得る。電力の増加は他のＵＥに対する干渉の増加をもたらし得、それにより、それらの送信電力が増加し得る。
【００６７】
オープンアクセスをもつピコｅＮＢの場合、パスロス差分により、等しいパスロス境界線（たとえば、曲線３０８）においてさえ、マクロＵＥ（たとえば、図３のＵ２  ３１４）は、公称送信電力での（たとえば、４６−３０＝１６ｄＢによる）ピコアップリンク通信を妨害し得る。マクロｅＮＢが拡張セル間干渉協調（ｅＩＣＩＣ：enhanced inter-cell interference coordination）をサポートしない場合、マクロｅＮＢは、ピコｅＮＢへのアップリンク送信に対して大量の干渉を引き起こし得る。マクロｅＮＢがｅＩＣＩＣをサポートする場合、物理アップリンク共有チャネル（ＰＵＳＣＨ：physical uplink shared channel）および物理アップリンク制御チャネル（ＰＵＣＣＨ）肯定応答（ＡＣＫ）データが時分割多重化（ＴＤＭ）によって直交化され得る。しかしながら、チャネル品質インジケータ（ＣＱＩ：channel quality indicator）チャネルは、それの周期が、ＴＤＭにおいて採用される区分パターンに適合しないことがあるので、依然として干渉を有し得る。特に、これらの状況では、本明細書でより詳細に説明するように、ｅＮＢ（たとえば、ピコｅＮＢ、マクロｅＮＢ）が、接近検出を実行し、および／またはアップリンク干渉管理方式をトリガすることが重要であり得る。
【００６８】
例示的なアーキテクチャでは、ブラインド検出方式（たとえば、干渉オーバーサーマル（ＩｏＴ）モニタリングおよび干渉検出方式）がレイヤ１（Ｌ１）において実装され得る。干渉検出は、ＰＵＳＣＨ、ＰＵＣＣＨ、サウンディング基準信号（ＳＲＳ：sounding reference signal）を含むチャネルプロセッサにおいて、および／またはまだ割り当てられていないリソース上で実行され得る。干渉プラス雑音レベルは、リソースブロック（ＲＢ）ごとにおよび／またはスロットごとに計算され、さらなる処理のためにレイヤ２（Ｌ２）に報告され得る。たとえば、Ｌ２は、ＰＵＳＣＨ周波数ホッピングが無効化された場合、ＴＤＭパーティションインターレースごとに、周波数サブバンドごとに、および／またはサブフレームごとになど、さらなるフィルタ処理を実行し得る。高いＩｏＴが検出されるように、検出しきい値が選択され得る。高いＩｏＴが検出されたとき、システムは、ＩｏＴレベルを制御し、オーバーロード指示を出し、および／または妨害物の接近を示し得る。しきい値の選択は他のｅＮＢからのパスロスのｅＮＢの知識にさらに依存し得ることに留意されたい。ただし、他のブラインド検出方式が採用され得る。
【００６９】
いくつかの態様は、半ブラインドＰＵＣＣＨ検出に基づく接近検出方法を提案する。ワイヤレスシステムでは、主要な干渉ソースのうちの１つは、ｅＩＣＩＣの場合でも時間的に（たとえば、ＴＤＭによって）区分されないことがあるＰＵＣＣＨチャネル（たとえば、ＣＱＩ送信）であり得る。
【００７０】
本開示のいくつかの態様は、ＰＵＣＣＨにおける妨害物を検出するための半ブラインドアルゴリズムを提案する。提案する方式では、近隣セルからのシステム情報ブロック（ＳＩＢ２）に関連する情報が、干渉物を検出するために使用され得る。検出エンティティ（たとえば、ｅＮＢまたはＵＥ）が、ＳＩＢ２メッセージ中の各近隣セルからセル識別情報（ＩＤ）および／または半静的構成パラメータを受信し得る。半静的パラメータは、ＣＧＳホッピング構成（たとえば、グループホッピング有効（Group-hopping-enabled））、ＰＵＣＣＨ  ＣＱＩリソースブロック（ＲＢ）領域（たとえば、Ｎ＿ＲＢ＿２）、ＰＵＣＣＨ混合ＡＣＫ／ＣＱＩ  ＲＢ領域（たとえば、Ｎ＿ＣＳ＿１）、ＰＵＣＣＨ  ＡＣＫ  ＲＢ（たとえば、ΔＰＵＣＣＨシフト）における最大ユーザの数、セルＳＲＳ構成などを含み得る。
【００７１】
図５に、本開示のいくつかの態様による、潜在的干渉または干渉ＵＥの接近を検出するために検出エンティティ（たとえば、Ｐ２Ｐモードで働く基地局またはＵＥ）によって実行され得る例示的な動作５００を示す。これらの動作を実行する検出エンティティは、図１〜図２のいずれかに関して説明したものであり得る。たとえば、例示的な動作５００は、（プロセッサ２３０または２７０などの）１つまたは複数のプロセッサによって指示され得る。
【００７２】
それらの動作は、５０２において、１つまたは複数の近隣基地局（ＢＳ）から、１つまたは複数のシステム情報ブロック（ＳＩＢ）における半静的システム情報を受信することによって開始する。５０４において、受信した情報に基づいて、検出エンティティは、物理アップリンク制御チャネル（ＰＵＣＣＨ）中で干渉を引き起こす近隣ＢＳを識別する。さらに、検出エンティティは、干渉近隣基地局によって干渉ＵＥに割り当てられた対応するリソースを識別し得る。検出エンティティは、干渉ＵＥに割り当てられたリソースに関する情報を、識別された近隣ＢＳに送信し得る。送信された情報は、干渉管理のために近隣ＢＳによって使用され得る。
【００７３】
いくつかの態様では、半静的システム情報は、ネットワーク中の信号をリッスンすることによって、および／または近隣基地局からＸ２インターフェースおよび／またはファイバー接続を介して受信され得る。半静的システム情報は、ＰＵＣＣＨ  ＡＣＫに関連するシステム情報、ＣＱＩチャネルに関連するシステム情報、コンピュータ生成シーケンス（ＣＧＳ：computer generated sequence）ホッピング構成、ＰＵＣＣＨチャネル品質インジケータ（ＣＱＩ）リソースブロック（ＲＢ）領域、ＰＵＣＣＨ混合肯定応答（ＡＣＫ）／ＣＱＩ  ＲＢ領域、ＰＵＣＣＨ  ＡＣＫ  ＲＢにおけるユーザの最大数、またはセルサウンディング基準信号（ＳＲＳ）構成などのうちの１つまたは複数を含み得る。
【００７４】
いくつかの態様では、検出エンティティは、干渉ＵＥによって引き起こされる干渉を管理し得る。一態様では、検出エンティティは近隣ＢＳにオーバーロード指示メッセージを送り得る。別の態様では、検出エンティティは、干渉を管理する（たとえば、別のＢＳに転送すること、電力を低減すること、または別様にスケジュールされることを干渉ＵＥに行わせる）ように近隣ＢＳに依頼するメッセージを近隣ＢＳに送り得る。いくつかの態様では、検出エンティティは、干渉を回避するために、周波数分割多重化（ＦＤＭ）または時分割多重化（ＴＤＭ）においてスケジュールし得る。
【００７５】
一態様では、検出エンティティは、干渉ＵＥからの干渉測定をトリガするために１つまたは複数のビーコン信号を送り得る。その結果、ＵＥは、近隣基地局によって異なる周波数にハンドオーバされ得る。いくつかの態様では、検出エンティティは、アップリンク送信を干渉から保護するために適応雑音パディング（adaptive noise padding）を実行し得る。
【００７６】
いくつかの態様では、検出エンティティは、近隣ＢＳの肯定応答チャネルのエネルギーをしきい値と比較することによって、干渉を引き起こす近隣ＢＳを識別し得る。検出エンティティは、次いで、肯定応答チャネルのエネルギーがしきい値に等しいかまたはそれよりも大きい場合、近隣ＢＳによってサービスされる干渉ＵＥの接近を宣言し得る。
【００７７】
検出エンティティはまた、近隣ＢＳのチャネル品質インジケータ（ＣＱＩ）の信号対雑音比（ＳＮＲ）をしきい値と比較することと、ＣＱＩのＳＮＲがしきい値に等しいかまたはそれよりも大きい場合、近隣ＢＳによってサービスされる干渉ＵＥの接近を宣言することとによって、干渉を引き起こす近隣ＢＳを識別し得る。
【００７８】
図６に、本開示のいくつかの態様による、干渉ＵＥからの干渉を管理するために、たとえば、近隣基地局によって実行され得る例示的な動作６００を示す。６０２において、近隣基地局は、基地局（たとえば、検出エンティティ）から、干渉ＵＥに割り当てられたリソースに関する情報を受信する。たとえば、近隣基地局はＢＳからオーバーロード指示メッセージを受信し得る。６０４において、近隣基地局は、受信した情報に基づいて干渉ＵＥを識別する。近隣基地局は、次いで、干渉ＵＥによって引き起こされる干渉を管理し得る。たとえば、近隣ＢＳは干渉ＵＥに異なる周波数を割り当て得る。近隣基地局はまた、ＵＥを別様にスケジュールし、検出エンティティに対する干渉が低減されるように、別のＢＳに転送しおよび／またはそれの電力を低減するように干渉ＵＥに依頼し得る。近隣基地局はまた、干渉を緩和するために、ＦＤＭまたはＴＤＭにおいて干渉ＵＥをスケジュールし得る。
【００７９】
図７に、本開示のいくつかの態様による、提案する半ブラインド接近検出方式を使用する接近検出アーキテクチャの例示的なブロック図を示す。接近検出アーキテクチャはＡＣＫプロセッサ７０２とＣＱＩプロセッサ７０４とを利用し得る。ＡＣＫプロセッサとＣＱＩプロセッサの両方は、ＬＴＥ規格において定義されている現在のアルゴリズムを使用し得る。接近検出アーキテクチャはまた、本明細書で説明するように、干渉ＵＥの検出のためのアルゴリズムを実行し得るプロセッサブロック７０６を含み得る。
【００８０】
ＡＣＫプロセッサ７０２およびＣＱＩプロセッサ７０４は、近隣ｅＮＢからセルＩＤおよび／またはＳＩＢ２情報を受信し得る。それらはまた、高速フーリエ変換（ＦＦＴ：Fast Fourier Transform）ブロックに通された後、アンテナから受信信号のサンプルを受信し得る。ＡＣＫプロセッサおよびＣＱＩプロセッサは、受信した値に基づいて、それぞれＡＣＫチャネルおよびＣＱＩチャネルの対数尤度比（ＬＬＲ：log likelihood ratio）および／または信号対雑音比（ＳＮＲ）を計算し得る。生成されたＬＬＲ値および／またはＳＮＲ値は、次いで、接近検出のためにプロセッサブロック７０６によって使用される。
【００８１】
プロセッサ７０６は、ＡＣＫチャネルを検出するためのトライステート復号（tri-state decoding）を含み得る。トライステート復号の場合、異なるしきい値が標準ＡＣＫチャネル検出および接近検出のために使用され得る。さらに、ＬＬＲおよびＳＮＲの共同要件が接近検出のために使用され得る。一例として、異なるＡＣＫ仮定がフォーマット２ａおよび２ｂのために使用され得る。さらに、異なるＳＮＲしきい値が標準ＣＱＩ検出および接近検出のために使用され得る。たとえば、ＣＱＩチャネルのＳＮＲが一定のしきい値を超える場合、干渉ＵＥの存在または接近が宣言され得る。別の例として、トライステートＡＣＫ検出器が、一定のしきい値を通るＡＣＫ／ＮＡＣＫエネルギーを識別した場合、干渉ＡＣＫチャネルの存在または接近が宣言され得る。
【００８２】
いくつかの態様では、異なる接近検出方法（特性ベースの接近検出）において、データまたは復調基準信号（ＤＭ−ＲＳ：demodulation reference signal）のためのＰＵＳＣＨ、ＳＲＳ、ＰＲＡＣＨ、ＰＵＣＣＨなど、各アップリンクチャネル上でより詳細な処理が実行され得る。各ＰＵＣＣＨシンボルは、同じシーケンスの（時間領域における）サイクリックシフトおよび変調されたバージョンであり得る。シンボルにわたる周波数領域においてｒ（ｋ）およびｒ*（ｓ）（*は共役を表す）の要素毎の積をとることと、その積の逆離散フーリエ変換（ＩＤＦＴ）を行うこととによって、複数の（たとえば、６つの）ピークのバーストが発見され得る。その処理の１つの目的は、いくつかの非支配的送信と雑音の組合せから単一の支配的干渉物を識別することであり得る。
【００８３】
ｅＮＢベースの接近検出は、基地局に接続され、アクティブアップリンク送信を有するＵＥのみを用いて動作し得ることに留意されたい。アイドル状態にあるＵＥ、または基地局に接続されるが送信を有しないＵＥの検出の場合、ＵＥベースの技法が使用され得る。ＵＥベースの技法は、プライマリ同期信号（ＰＳＳ：primary synchronization signal）、セカンダリ同期信号（ＳＳＳ：secondary synchronization signal）、物理ブロードキャストチャネル（ＰＢＣＨ：physical broadcast channel）などに基づいてＵＥの接近を検出し得る。
【００８４】
いくつかの態様では、チャネル（たとえば、ＰＵＣＣＨ）における信号の周波数領域相関が接近検出のために使用され得る。たとえば、ＰＵＣＣＨにおける各シンボルは、既知のシーケンスの（時間領域における）サイクリックシフトおよび変調されたバージョンであり得る。また、１つのスロット内に複数の（たとえば、７つの）シンボルが存在し得る。周波数領域相関方式を使用する接近検出では、周波数領域において２つの任意のシンボル（たとえば、シンボルａおよびｂ）が選択され得る。次に、ａ（ｋ）およびｂ*（ｋ）の要素毎の積が計算され得る。ａ（ｋ）およびｂ（ｋ）は、場合によっては干渉を有し得るＰＵＣＣＨのリソースブロックの周波数領域サンプルを表し得る。次に、（ｋ）およびｂ＊（ｋ）の要素毎の積のＩＤＦＴは次のように計算され得る。
【数１】
0006009574.tif 000002
【００８５】
ただし、ｎは各サンプルのインデックスを表し、Ｎはサンプルの総数を表す。
【００８６】
次のステップでは、支配的干渉がある場合、１つまたは複数のピークが検出され得る。したがって、１つまたは複数のピークがある場合、支配的干渉物の接近が宣言され得る。いくつかの態様では、これらの結果は、次のように、異なる受信アンテナ（ｒ）にわたって組み合わせられ得る。
【数２】
0006009574.tif 000003
【００８７】
いくつかの態様では、異なるスロットにわたっておよび／または異なるシンボルペアにわたって同様の周波数領域処理が実行され得る。シンボルペアの一部または全部が、しきい値を超える１つまたは複数のピークを有する場合、アップリンクチャネル（たとえば、ＰＵＣＣＨ）妨害物の接近が宣言され得る。
【００８８】
図８に、本開示のいくつかの態様による、潜在的干渉または干渉ＵＥの接近を検出するために検出エンティティ（たとえば、Ｐ２Ｐモードで働く基地局またはＵＥ）によって実行され得る例示的な動作８００を示す。８０２において、検出エンティティは、１つまたは複数の受信信号の干渉オーバーサーマル（ＩｏＴ）情報をモニタする。８０４において、検出エンティティは、関連するＴＤＭパーティションインターレース、周波数サブバンド、またはサブフレームのうちの少なくとも１つごとにＩｏＴ情報をフィルタ処理する。８０６において、フィルタ処理に基づいて、検出エンティティは、干渉を引き起こす接近ユーザ機器（ＵＥ）の存在を宣言する。
【００８９】
図９に、本開示のいくつかの態様による、潜在的干渉または干渉ＵＥの接近を検出するために検出エンティティ（たとえば、Ｐ２Ｐモードで働く基地局またはＵＥ）によって実行され得る例示的な動作９００を示す。９０２において、検出エンティティは、少なくとも第１のシンボルと第２のシンボルとを備える信号を受信する。９０４において、検出エンティティは、第１のシンボルと第２のシンボルとの周波数領域サンプルの要素毎の積を計算する。９０６において、検出エンティティは、要素毎の積の逆離散フーリエ変換（ＩＤＦＴ）を実行する。９０８において、検出エンティティは、要素毎の積のＩＤＦＴにおける１つまたは複数のピークの検出に基づいて、干渉を引き起こす接近ユーザ機器の存在を宣言する。
【００９０】
いくつかの態様では、極めて接近している強い干渉物の検出後、ｅＮＢは、以下の方法のうちの１つまたは組合せを使用して干渉を管理し得る。たとえば、ｅＮＢは、干渉を低減するために、周波数分割多重化および／または時分割多重化を使用して、ＵＥをスケジュールし得、適応雑音パディングを使用して、他のｅＮＢ（たとえば、フェムトｅＮＢ）によってサービスされるＵＥのアップリンク送信を保護し得、および／または干渉を低減するように依頼するオーバーロード指示を近隣基地局に送り得る。
【００９１】
いくつかの態様では、ＰＵＣＣＨがレガシーＵＥによって妨害されるが、ＰＵＳＣＨがＴＤＭ区分によりクリーンである場合、ｅＮＢは、ＰＵＣＣＨ送信の一部または全部が干渉を緩和するためにＰＵＳＣＨ上で送信されるようにＳＰＳ信号を割り当て得る。一態様では、ｅＮＢは、ＵＥからの干渉測定をトリガするために、マクロｅＮＢによって使用される周波数上でビーコン信号を送り得る。その結果、ＵＥは、異なる周波数におけるフェムトセルにハンドオーバされ得る。
【００９２】
現在、ｅＩＣＩＣに基づくオーバーロードインジケータ方式は長期平均結果のみに依拠し得る。オーバーロード指示がシグナリングされると、近隣セルは、正確な干渉ＵＥに関する詳細な情報が利用可能でないので、複数のＵＥの電源を切断し得る。たとえば、ＩｏＴベースの接近検出方式は、極めて単純であり、周波数割当ておよび／または時間に関して干渉の一般的な情報を与える。この情報は、干渉のパターンを識別し、干渉管理を助けるために使用され得る。しかしながら、ＩｏＴベースの接近検出方式は、近隣セルが干渉を引き起こしている指示を有しないことがある。
【００９３】
提案する半ブラインドＰＵＣＣＨ検出方式を使用して、ｅＮＢは、妨害ＰＵＣＣＨチャネルのリソース割当てならびに干渉セルの両方についての知識を有し得る。この情報は、妨害物ＵＥの正確な識別および干渉管理のために妨害ｅＮＢに供給され得る。
【００９４】
提案する半ブラインドＰＵＣＣＨ検出方式は、現在の規格において利用可能であるＰＵＣＣＨアルゴリズムを再利用し得る。近隣セルから（たとえば、Ｘ２インターフェースを介したバックホール交換からおよび／またはネットワークリスニングから）、ＳＩＢ２からの半静的情報が使用され得る。半ブラインドＰＵＣＣＨ検出方式は、どの近隣セルが、干渉物のＰＵＣＣＨリソース割当てに加えて干渉を引き起こしているかを識別し得る。
【００９５】
図１０に、潜在的干渉または干渉ＵＥの検出によって干渉を緩和することが可能な例示的な通信システム１０００を示す。図示の例では、ＵＥ１００６は基地局１００４に接近しているが、ＵＥ１００６は基地局１００４に接続されない。図１の場合と同様に、潜在的干渉または干渉送信が破線で示されている。
【００９６】
図示のように、システム１０００は、ＢＳ１００４と、第１のセルの近隣基地局１００２（たとえば、潜在的干渉または干渉ＵＥ１００６をサービスする基地局）とを含む。基地局１００２／１００４およびＵＥ１００６は、図１〜図２に関して説明した基地局およびＵＥと同様の方法で動作し得る。ＢＳ１００４および近隣ＢＳ１００２は、バックホールおよび／またはワイヤレスシグナリング１０２０を介して通信し得る。
【００９７】
システム１０００は、異なる電力クラスのノード（たとえば、マクロ、フェムトまたはピコ基地局）が共存する異種ネットワークであり得る。たとえば、検出基地局１００４はフェムトｅＮＢであり得、近隣基地局１００２はマクロｅＮＢであり得る。そのようなシステムでは、ＵＥ（たとえば、ＵＥ１００６または図示されていない異種ＵＥ）が、異なる電力クラスのセルからのノードからダウンリンクにおける強い干渉を観測し得る。上記で説明したように、限定加入者グループ（ＣＳＧ）セルでは、マクロＵＥは、ＣＳＧセルにアクセスすることが許されないことがあるが、マクロＵＥがＣＳＧ  ｅＮＢに接近している場合、マクロＵＥからのアップリンク送信は、（たとえば、ＣＳＧセルに対する）支配的干渉物であり得る。
【００９８】
いくつかの態様では、潜在的干渉または干渉ＵＥが検出されたとき、干渉ＵＥに関する情報が、アクションをとり得る干渉管理構成要素１０１２に渡され得る。たとえば、干渉管理構成要素は、干渉ＵＥからのアップリンク送信に対する干渉を緩和する目的で、ダウンリンク送信を制御し得る。干渉管理構成要素はまた、干渉ＵＥに関する情報とともに近隣基地局１００２に指示を送り、（たとえば、別の周波数／リソース上でＵＥを再スケジュールすることおよび／または別のＢＳにハンドオーバすることをＵＥに行わせることなどによって）基地局１００４に対する干渉を低減するのを助けるように近隣基地局１００２に依頼し得る。
【００９９】
検出ＢＳ１００４は、近隣ＢＳ１００２からの送信をリッスンし、この情報を使用して、ＵＥ１００６の接近を検出するのを支援し得る。たとえば、検出ＢＳ３０４は、それの近傍にあるＵＥに関する情報を収集するために、（スケジューリング構成要素１００８によって判断される送信の特性を用いて）ＢＳ１００２の送信構成要素１０１４からの送信をモニタし得る。検出ＢＳ１００４は、システム情報ブロック（ＳＩＢ）情報を読み取り、および／または（スケジューリング構成要素１００８によって行われる）近隣基地局１００２の典型的なスケジューリング決定をモニタし得る。
【０１００】
上記で説明した図５および図６の方法に示したブロックに対応する様々な動作は、様々な（１つまたは複数の）ハードウェアおよび／またはソフトウェア構成要素および／または（１つまたは複数の）モジュールによって実行され得る。たとえば、受信するための手段は、図２に示したように、受信機２５４などの任意の好適な受信構成要素であり得る。識別するための手段、干渉を管理するための手段、スケジュールするための手段、割り当てるための手段、実行するための手段、比較するための手段、宣言するための手段、引き起こすための手段、スケジュールするための手段は、図２に示したようにプロセッサ２３０、２７０などの任意の好適な処理構成要素であり得る。送信するための手段および／または送るための手段は、図２に示したように、送信機２２２などの任意の好適な送信構成要素であり得る。
【０１０１】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１０２】
本開示に関連して説明した方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサに一体化され得る。
【０１０３】
本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【０１０４】
説明した機能は、ハードウェア、ソフトウェア、ファームウェア、またはそれらの組合せで実装され得る。ソフトウェアで実装した場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。
【０１０５】
たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに提供するための任意の他の好適な技法が利用され得る。
【０１０６】
本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【０１０７】
特許請求の範囲は、上記に示した厳密な構成および構成要素に限定されないことを理解されたい。上記で説明した方法および装置の構成、動作および詳細において、特許請求の範囲から逸脱することなく、様々な改変、変更および変形が行われ得る。
【０１０８】
上記は本開示の態様を対象とするが、本開示の他の態様およびさらなる態様は、それらの基本的範囲から逸脱することなく考案され得、それらの範囲は以下の特許請求の範囲によって判断される。
以下に、本願出願の当初の特許請求の範囲に記載された発明を付記する。
［Ｃ１］
１つまたは複数の近隣基地局（ＢＳ）から半静的システム情報を受信することと、
前記受信した情報に基づいて、ＵＥが物理アップリンク制御チャネル（ＰＵＣＣＨ）中で干渉を引き起こす近隣ＢＳを識別することと、前記干渉近隣基地局によって干渉ユーザ機器（ＵＥ）に割り当てられた対応するリソースを識別することと
を備える、ワイヤレス通信のための方法。
［Ｃ２］
前記半静的システム情報は、ネットワーク中で受信した信号をリッスンすることによって受信されるシステム情報ブロック（ＳＩＢ２）情報を備える、
［Ｃ１］に記載の方法。
［Ｃ３］
前記半静的システム情報は、ＰＵＣＣＨ  ＡＣＫに関連するシステム情報を備える、
［Ｃ１］に記載の方法。
［Ｃ４］
前記半静的システム情報は、ＰＵＣＣＨ  ＣＱＩチャネルに関連するシステム情報を備える、
［Ｃ１］に記載の方法。
［Ｃ５］
前記半静的システム情報は、コンピュータ生成シーケンス（ＣＧＳ）ホッピング構成、ＰＵＣＣＨチャネル品質インジケータ（ＣＱＩ）リソースブロック（ＲＢ）領域、ＰＵＣＣＨ混合肯定応答（ＡＣＫ）／ＣＱＩ  ＲＢ領域、ＰＵＣＣＨ  ＡＣＫ  ＲＢにおけるユーザの最大数、またはセルサウンディング基準信号（ＳＲＳ）構成のうちの少なくとも１つを備える、
［Ｃ２］に記載の方法。
［Ｃ６］
前記半静的システム情報は、前記近隣基地局からＸ２インターフェースまたはファイバー接続のうちの少なくとも１つを介して受信される、
［Ｃ１］に記載の方法。
［Ｃ７］
前記干渉ＵＥに割り当てられた前記リソースに関する情報を前記識別された近隣ＢＳに送信することをさらに備え、前記送信された情報は、干渉管理のために前記近隣基地局によって使用される、
［Ｃ１］に記載の方法。
［Ｃ８］
前記干渉ＵＥによって引き起こされる干渉を管理することをさらに備える、
［Ｃ１］に記載の方法。
［Ｃ９］
前記干渉ＵＥによって引き起こされる干渉を管理することは、前記近隣ＢＳにオーバーロード指示メッセージを送ることを含む、
［Ｃ８］に記載の方法。
［Ｃ１０］
前記干渉ＵＥによって引き起こされる干渉を管理することは、別のＢＳに転送すること、電力を低減すること、または別様にスケジュールされることのうちの少なくとも１つを前記干渉ＵＥに行わせることを前記近隣ＢＳに行わせるメッセージを前記近隣ＢＳに送ることを含む、
［Ｃ８］に記載の方法。
［Ｃ１１］
干渉を管理することは、
干渉を回避するために、周波数分割多重化（ＦＤＭ）または時分割多重化（ＴＤＭ）においてサービスを受けるＵＥをスケジュールすることを備える、
［Ｃ８］に記載の方法。
［Ｃ１２］
干渉を管理することは、
物理アップリンク共有チャネル（ＰＵＳＣＨ）が時分割多重化（ＴＤＭ）区分によりクリーンである場合、１つまたは複数のＰＵＣＣＨが前記ＰＵＳＣＨ上で送信されるように半永続的スケジューリング（ＳＰＳ）を割り当てることを備える、
［Ｃ８］に記載の方法。
［Ｃ１３］
干渉を管理することは、
前記ＵＥが前記近隣基地局によって異なる周波数にハンドオーバされるように、前記干渉ＵＥからの干渉測定をトリガするために１つまたは複数のビーコン信号を送ることを備える、
［Ｃ８］に記載の方法。
［Ｃ１４］
干渉を管理することは、
アップリンク送信を干渉から保護するために適応雑音パディングを実行することを備える、
［Ｃ８］に記載の方法。
［Ｃ１５］
干渉を引き起こす前記近隣ＢＳを識別することは、
近隣ＢＳの肯定応答チャネルのエネルギーをしきい値と比較することと、
前記肯定応答チャネルのエネルギーが前記しきい値に等しいかまたはそれよりも大きい場合、前記近隣ＢＳによってサービスされる前記干渉ＵＥの接近を宣言することと
を備える、［Ｃ１］に記載の方法。
［Ｃ１６］
干渉を引き起こす前記近隣ＢＳを識別することは、
近隣ＢＳのチャネル品質インジケータ（ＣＱＩ）の信号対雑音比（ＳＮＲ）をしきい値と比較することと、
前記ＣＱＩのＳＮＲが前記しきい値に等しいかまたはそれよりも大きい場合、前記近隣ＢＳによってサービスされる前記干渉ＵＥの接近を宣言することと
を備える、［Ｃ１］に記載の方法。
［Ｃ１７］
近隣基地局から、干渉ユーザ機器（ＵＥ）に割り当てられたリソースに関する情報を受信することと、
前記受信した情報に基づいて前記干渉ＵＥを識別することと
を備える、ワイヤレス通信のための方法。
［Ｃ１８］
前記干渉ＵＥによって引き起こされる干渉を管理することをさらに備える、
［Ｃ１７］に記載の方法。
［Ｃ１９］
前記干渉ＵＥによって引き起こされる干渉を管理することは、
前記干渉ＵＥに異なる周波数を割り当てることを備える、
［Ｃ１８］に記載の方法。
［Ｃ２０］
近隣基地局から干渉ＵＥに割り当てられたリソースに関する情報を受信することは、前記近隣基地局からオーバーロード指示メッセージを受信することを含む、
［Ｃ１７］に記載の方法。
［Ｃ２１］
前記干渉ＵＥによって引き起こされる干渉を管理することは、別のＢＳに転送すること、電力を低減すること、または別様にスケジュールされることのうちの少なくとも１つを前記干渉ＵＥに行わせることを含む、［Ｃ１８］に記載の方法。
［Ｃ２２］
干渉を管理することは、
干渉を回避するために周波数分割多重化（ＦＤＭ）または時分割多重化（ＴＤＭ）をスケジュールすることを備える、
［Ｃ１８］に記載の方法。
［Ｃ２３］
干渉を管理することは、
物理アップリンク共有チャネル（ＰＵＳＣＨ）が時分割多重化（ＴＤＭ）区分によりクリーンである場合、１つまたは複数のＰＵＣＣＨが前記ＰＵＳＣＨ上で送信されるように半永続的スケジューリング（ＳＰＳ）を割り当てることを備える、
［Ｃ１８］に記載の方法。
［Ｃ２４］
１つまたは複数の受信信号の干渉オーバーサーマル（ＩｏＴ）情報をモニタすることと、
関連する時分割多重化（ＴＤＭ）パーティションインターレース、周波数サブバンド、またはサブフレームのうちの少なくとも１つごとに前記ＩｏＴ情報をフィルタ処理することと、
前記フィルタ処理に基づいて、干渉を引き起こす接近ユーザ機器（ＵＥ）の存在を宣言することと
を備える、ワイヤレス通信のための方法。
［Ｃ２５］
前記接近ＵＥによって引き起こされる干渉を管理することをさらに備える、
［Ｃ２４］に記載の方法。
［Ｃ２６］
前記干渉ＵＥによって引き起こされる干渉を管理することは、前記接近ＵＥをサービスしている近隣ＢＳにオーバーロード指示メッセージを送ることを含む、
［Ｃ２５］に記載の方法。
［Ｃ２７］
前記接近ＵＥによって引き起こされる干渉を管理することは、別のＢＳに転送すること、電力を低減すること、または別様にスケジュールされることのうちの少なくとも１つを前記接近ＵＥに行わせることを、前記ＵＥをサービスする近隣ＢＳに行わせるメッセージを前記近隣ＢＳに送ることを含む、
［Ｃ２５］に記載の方法。
［Ｃ２８］
干渉を管理することは、
干渉を回避するために、周波数分割多重化（ＦＤＭ）または時分割多重化（ＴＤＭ）においてサービスを受けるＵＥをスケジュールすることを備える、
［Ｃ２５］に記載の方法。
［Ｃ２９］
干渉を管理することは、
前記ＵＥがそれのサービング基地局によって異なる周波数にハンドオーバされるように、前記接近ＵＥからの干渉測定をトリガするために１つまたは複数のビーコン信号を送ることを備える、
［Ｃ２５］に記載の方法。
［Ｃ３０］
干渉を管理することは、
アップリンク送信を干渉から保護するために適応雑音パディングを実行することを備える、
［Ｃ２５］に記載の方法。
［Ｃ３１］
少なくとも第１のシンボルと第２のシンボルとを備える信号を受信することと、
前記第１のシンボルと前記第２のシンボルとの周波数領域サンプルの要素毎の積を計算することと、
前記要素毎の積の逆離散フーリエ変換（ＩＤＦＴ）を実行することと、
前記要素毎の積の前記ＩＤＦＴにおけるピークの検出に基づいて、干渉を引き起こす接近ユーザ機器の存在を宣言することと
を備える、ワイヤレス通信のための方法。
［Ｃ３２］
前記接近ＵＥによって引き起こされる干渉を管理することをさらに備える、
［Ｃ３１］に記載の方法。
［Ｃ３３］
１つまたは複数の近隣基地局（ＢＳ）から半静的システム情報を受信するための手段と、
前記受信した情報に基づいて、ＵＥが前記物理アップリンク制御チャネル（ＰＵＣＣＨ）中で干渉を引き起こす近隣ＢＳを識別することと、前記干渉近隣基地局によって干渉ユーザ機器（ＵＥ）に割り当てられた対応するリソースを識別することとを行うための手段と
を備える、ワイヤレス通信のための装置。
［Ｃ３４］
前記半静的システム情報は、ネットワーク中で受信した信号をリッスンすることによって受信されるシステム情報ブロック（ＳＩＢ２）情報を備える、
［Ｃ３３］に記載の装置。
［Ｃ３５］
前記半静的システム情報は、ＰＵＣＣＨ  ＡＣＫに関連するシステム情報を備える、
［Ｃ３３］に記載の装置。
［Ｃ３６］
前記半静的システム情報は、ＰＵＣＣＨ  ＣＱＩチャネルに関連するシステム情報を備える、
［Ｃ３３］に記載の装置。
［Ｃ３７］
前記半静的システム情報は、コンピュータ生成シーケンス（ＣＧＳ）ホッピング構成、ＰＵＣＣＨチャネル品質インジケータ（ＣＱＩ）リソースブロック（ＲＢ）領域、ＰＵＣＣＨ混合肯定応答（ＡＣＫ）／ＣＱＩ  ＲＢ領域、ＰＵＣＣＨ  ＡＣＫ  ＲＢにおけるユーザの最大数、またはセルサウンディング基準信号（ＳＲＳ）構成のうちの少なくとも１つを備える、
［Ｃ３４］に記載の装置。
［Ｃ３８］
前記半静的システム情報は、前記近隣基地局からＸ２インターフェースまたはファイバー接続のうちの少なくとも１つを介して受信される、
［Ｃ３３］に記載の装置。
［Ｃ３９］
前記干渉ＵＥに割り当てられた前記リソースに関する情報を前記識別された近隣ＢＳに送信するための手段を備え、前記送信された情報は、干渉管理のために前記近隣基地局によって使用される、
［Ｃ３３］に記載の装置。
［Ｃ４０］
前記干渉ＵＥによって引き起こされる干渉を管理するための手段をさらに備える、
［Ｃ３３］に記載の装置。
［Ｃ４１］
前記干渉ＵＥによって引き起こされる干渉を管理するための前記手段は、前記近隣ＢＳにオーバーロード指示メッセージを送るための手段を備える、
［Ｃ４０］に記載の装置。
［Ｃ４２］
前記干渉ＵＥによって引き起こされる干渉を管理するための前記手段は、別のＢＳに転送すること、電力を低減すること、または別様にスケジュールされることのうちの少なくとも１つを前記干渉ＵＥに行わせることを前記近隣ＢＳに行わせるメッセージを前記近隣ＢＳに送るための手段を備える、
［Ｃ４０］に記載の装置。
［Ｃ４３］
干渉を管理するための前記手段は、
干渉を回避するために、周波数分割多重化（ＦＤＭ）または時分割多重化（ＴＤＭ）においてサービスを受けるＵＥをスケジュールするための手段を備える、
［Ｃ４０］に記載の装置。
［Ｃ４４］
干渉を管理するための前記手段は、
物理アップリンク共有チャネル（ＰＵＳＣＨ）が時分割多重化（ＴＤＭ）区分によりクリーンである場合、１つまたは複数のＰＵＣＣＨが前記ＰＵＳＣＨ上で送信されるように半永続的スケジューリング（ＳＰＳ）を割り当てるための手段を備える、
［Ｃ４０］に記載の装置。
［Ｃ４５］
干渉を管理するための前記手段は、
前記ＵＥが前記近隣基地局によって異なる周波数にハンドオーバされるように、前記干渉ＵＥからの干渉測定をトリガするために１つまたは複数のビーコン信号を送るための手段を備える、
［Ｃ４０］に記載の装置。
［Ｃ４６］
干渉を管理するための前記手段は、
アップリンク送信を干渉から保護するために適応雑音パディングを実行するための手段を備える、
［Ｃ４０］に記載の装置。
［Ｃ４７］
干渉を引き起こす前記近隣ＢＳを識別することは、
近隣ＢＳの肯定応答チャネルのエネルギーをしきい値と比較するための手段と、
前記肯定応答チャネルのエネルギーが前記しきい値に等しいかまたはそれよりも大きい場合、前記近隣ＢＳによってサービスされる前記干渉ＵＥの接近を宣言するための手段と
を備える、［Ｃ３３］に記載の装置。
［Ｃ４８］
干渉を引き起こす前記近隣ＢＳを識別するための前記手段は、
近隣ＢＳのチャネル品質インジケータ（ＣＱＩ）の信号対雑音比（ＳＮＲ）をしきい値と比較するための手段と、
前記ＣＱＩのＳＮＲが前記しきい値に等しいかまたはそれよりも大きい場合、前記近隣ＢＳによってサービスされる前記干渉ＵＥの接近を宣言するための手段と
を備える、［Ｃ３３］に記載の装置。
［Ｃ４９］
近隣基地局から、干渉ユーザ機器（ＵＥ）に割り当てられたリソースに関する情報を受信するための手段と、
前記受信した情報に基づいて前記干渉ＵＥを識別するための手段と
を備える、ワイヤレス通信のための装置。
［Ｃ５０］
前記干渉ＵＥによって引き起こされる干渉を管理するための手段をさらに備える、
［Ｃ４９］に記載の装置。
［Ｃ５１］
前記干渉ＵＥによって引き起こされる干渉を管理するための前記手段は、
前記干渉ＵＥに異なる周波数を割り当てるための手段を備える、
［Ｃ５０］に記載の装置。
［Ｃ５２］
近隣基地局から、干渉ＵＥに割り当てられたリソースに関する情報を受信するための前記手段は、前記近隣基地局からオーバーロード指示メッセージを受信するための手段を備える、
［Ｃ４９］に記載の装置。
［Ｃ５３］
前記干渉ＵＥによって引き起こされる干渉を管理するための前記手段は、別のＢＳに転送すること、電力を低減すること、または別様にスケジュールされることのうちの少なくとも１つを前記干渉ＵＥに行わせるための手段を備える、
［Ｃ５０］に記載の装置。
［Ｃ５４］
干渉を管理するための前記手段は、
干渉を回避するために周波数分割多重化（ＦＤＭ）または時分割多重化（ＴＤＭ）をスケジュールするための手段を備える、
［Ｃ５０］に記載の装置。
［Ｃ５５］
干渉を管理するための前記手段は、
物理アップリンク共有チャネル（ＰＵＳＣＨ）が時分割多重化（ＴＤＭ）区分によりクリーンである場合、１つまたは複数のＰＵＣＣＨが前記ＰＵＳＣＨ上で送信されるように半永続的スケジューリング（ＳＰＳ）を割り当てるための手段を備える、
［Ｃ５０］に記載の装置。
［Ｃ５６］
１つまたは複数の受信信号の干渉オーバーサーマル（ＩｏＴ）情報をモニタするための手段と、
関連する時分割多重化（ＴＤＭ）パーティションインターレース、周波数サブバンド、またはサブフレームのうちの少なくとも１つごとに前記ＩｏＴ情報をフィルタ処理するための手段と、
前記フィルタ処理に基づいて、干渉を引き起こす接近ユーザ機器（ＵＥ）の存在を宣言するための手段と
を備える、ワイヤレス通信のための装置。
［Ｃ５７］
前記接近ＵＥによって引き起こされる干渉を管理するための手段をさらに備える、
［Ｃ５６］に記載の装置。
［Ｃ５８］
前記干渉ＵＥによって引き起こされる干渉を管理するための前記手段は、前記接近ＵＥをサービスしている近隣ＢＳにオーバーロード指示メッセージを送るための手段を備える、
［Ｃ５７］に記載の装置。
［Ｃ５９］
前記接近ＵＥによって引き起こされる干渉を管理するための前記手段は、別のＢＳに転送すること、電力を低減すること、または別様にスケジュールされることのうちの少なくとも１つを前記接近ＵＥに行わせることを、前記ＵＥをサービスする近隣ＢＳに行わせるメッセージを前記近隣ＢＳに送るための手段を備える、
［Ｃ５７］に記載の装置。
［Ｃ６０］
干渉を管理するための前記手段は、
干渉を回避するために、周波数分割多重化（ＦＤＭ）または時分割多重化（ＴＤＭ）においてサービスを受けるＵＥをスケジュールするための手段を備える、
［Ｃ５７］に記載の装置。
［Ｃ６１］
干渉を管理するための前記手段は、
前記ＵＥがそれのサービング基地局によって異なる周波数にハンドオーバされるように、前記接近ＵＥからの干渉測定をトリガするために１つまたは複数のビーコン信号を送るための手段を備える、
［Ｃ５７］に記載の装置。
［Ｃ６２］
干渉を管理するための前記手段は、
アップリンク送信を干渉から保護するために適応雑音パディングを実行するための手段を備える、
［Ｃ５７］に記載の装置。
［Ｃ６３］
少なくとも第１のシンボルと第２のシンボルとを備える信号を受信するための手段と、
前記第１のシンボルと前記第２のシンボルとの周波数領域サンプルの要素毎の積を計算するための手段と、
前記要素毎の積の逆離散フーリエ変換（ＩＤＦＴ）を実行するための手段と、
前記要素毎の積の前記ＩＤＦＴにおけるピークの検出に基づいて、干渉を引き起こす接近ユーザ機器の存在を宣言するための手段と
を備える、ワイヤレス通信のための装置。
［Ｃ６４］
前記接近ＵＥによって引き起こされる干渉を管理するための手段をさらに備える、
［Ｃ６３］に記載の装置。
［Ｃ６５］
１つまたは複数の近隣基地局（ＢＳ）から半静的システム情報を受信することと、前記受信した情報に基づいて、ＵＥが前記物理アップリンク制御チャネル（ＰＵＣＣＨ）中で干渉を引き起こす近隣ＢＳを識別することと、前記干渉近隣基地局によって干渉ユーザ機器（ＵＥ）に割り当てられた対応するリソースを識別することとを行うように構成された少なくとも１つのプロセッサと、
前記少なくとも１つのプロセッサに結合されたメモリと
を備える、ワイヤレス通信のための装置。
［Ｃ６６］
近隣基地局から、干渉ユーザ機器（ＵＥ）に割り当てられたリソースに関する情報を受信することと、
前記受信した情報に基づいて前記干渉ＵＥを識別することと
を行うように構成された少なくとも１つのプロセッサと、
前記少なくとも１つのプロセッサに結合されたメモリと
を備える、ワイヤレス通信のための装置。
［Ｃ６７］
１つまたは複数の受信信号の干渉オーバーサーマル（ＩｏＴ）情報をモニタすることと、関連する時分割多重化（ＴＤＭ）パーティションインターレース、周波数サブバンド、またはサブフレームのうちの少なくとも１つごとに前記ＩｏＴ情報をフィルタ処理することと、前記フィルタ処理に基づいて、干渉を引き起こす接近ユーザ機器（ＵＥ）の存在を宣言することとを行うように構成された少なくとも１つのプロセッサと、
前記少なくとも１つのプロセッサに結合されたメモリと
を備える、ワイヤレス通信のための装置。
［Ｃ６８］
少なくとも第１のシンボルと第２のシンボルとを備える信号を受信することと、前記第１のシンボルと前記第２のシンボルとの周波数領域サンプルの要素毎の積を計算することと、前記要素毎の積の逆離散フーリエ変換（ＩＤＦＴ）を実行することと、前記要素毎の積の前記ＩＤＦＴにおけるピークの検出に基づいて、干渉を引き起こす接近ユーザ機器の存在を宣言することとを行うように構成された少なくとも１つのプロセッサと、
前記少なくとも１つのプロセッサに結合されたメモリと
を備える、ワイヤレス通信のための装置。
［Ｃ６９］
その上に記憶された命令を有するコンピュータ可読媒体を備えるワイヤレス通信のためのコンピュータプログラム製品であって、前記命令は、少なくとも１つのプロセッサによって、
１つまたは複数の近隣基地局（ＢＳ）から半静的システム情報を受信することと、
前記受信した情報に基づいて、ＵＥが前記物理アップリンク制御チャネル（ＰＵＣＣＨ）中で干渉を引き起こす近隣ＢＳを識別することと、前記干渉近隣基地局によって干渉ユーザ機器（ＵＥ）に割り当てられた対応するリソースを識別することと
を行うように実行可能である、コンピュータプログラム製品。
［Ｃ７０］
その上に記憶された命令を有するコンピュータ可読媒体を備えるワイヤレス通信のためのコンピュータプログラム製品であって、前記命令は、少なくとも１つのプロセッサによって、
近隣基地局から、干渉ユーザ機器（ＵＥ）に割り当てられたリソースに関する情報を受信することと、
前記受信した情報に基づいて前記干渉ＵＥを識別することと
を行うように実行可能である、コンピュータプログラム製品。
［Ｃ７１］
その上に記憶された命令を有するコンピュータ可読媒体を備えるワイヤレス通信のためのコンピュータプログラム製品であって、前記命令は、少なくとも１つのプロセッサによって、
１つまたは複数の受信信号の干渉オーバーサーマル（ＩｏＴ）情報をモニタすることと、
関連する時分割多重化（ＴＤＭ）パーティションインターレース、周波数サブバンド、またはサブフレームのうちの少なくとも１つごとに前記ＩｏＴ情報をフィルタ処理することと、
前記フィルタ処理に基づいて、干渉を引き起こす接近ユーザ機器（ＵＥ）の存在を宣言することと
を行うように実行可能である、コンピュータプログラム製品。
［Ｃ７２］
その上に記憶された命令を有するコンピュータ可読媒体を備えるワイヤレス通信のためのコンピュータプログラム製品であって、前記命令は、少なくとも１つのプロセッサによって、
少なくとも第１のシンボルと第２のシンボルとを備える信号を受信することと、
前記第１のシンボルと前記第２のシンボルとの周波数領域サンプルの要素毎の積を計算することと、
前記要素毎の積の逆離散フーリエ変換（ＩＤＦＴ）を実行することと、
前記要素毎の積の前記ＩＤＦＴにおけるピークの検出に基づいて、干渉を引き起こす接近ユーザ機器の存在を宣言することと
を行うように実行可能である、コンピュータプログラム製品。
【図１】
0006009574.tif 000004
【図２】
0006009574.tif 000005
【図３】
0006009574.tif 000006
【図４】
0006009574.tif 000007
【図５】
0006009574.tif 000008
【図６】
0006009574.tif 000009
【図７】
0006009574.tif 000010
【図８】
0006009574.tif 000011
【図９】
0006009574.tif 000012
【図１０】
0006009574.tif 000013